(57)【要約】バックライト装置１２は、ＬＥＤ１７と、導光板１９と、プリズムシート４２と、出光反射部４１と、プリズム部４３と、第１方向について光入射面１９ｂに近い側では凹型シリンドリカルレンズ４４ａにおける第２方向についての占有比率が相対的に高いものの光入射面１９ｂから遠い側では凹型シリンドリカルレンズ４４ａにおける第２方向についての占有比率が相対的に低くなるよう構成された凹型レンチキュラーレンズ部４４と、第２方向について凹型シリンドリカルレンズ４４ａに対して隣り合う形で配されるとともに、第１方向について光入射面１９ｂに近い側では第２方向についての占有比率が相対的に低いものの光入射面１９ｂから遠い側では第２方向についての占有比率が相対的に高くなる平坦状部４５と、を備える。
2016017492.tif 000002
【特許請求の範囲】
【請求項１】
光源と、
方形の板状をなし、その外周端面のうち対辺をなす一対の端面の少なくともいずれか一方が前記光源から発せられた光が入射される光入射面とされるとともに、一方の板面が光を出射させる光出射面とされ、さらには他方の板面が反対板面とされる導光板と、
前記導光板に対して出光側に配され、前記導光板の前記外周端面のうち対辺をなすとともに前記光入射面を含まない一対の端面に沿う第１方向に沿って延在する出光側単位集光部を、前記導光板の前記外周端面のうち前記光入射面を含む前記一対の端面に沿う第２方向に沿って複数並ぶ形で配してなる出光側異方性集光部と、
前記導光板の前記光出射面と前記反対板面とのうちの一方側に配されるとともに前記導光板内を伝播する光を反射して前記光出射面からの出光を促すための出光反射部であって、前記第２方向に沿って延在する単位反射部を、前記第１方向に沿って間隔を空けて複数並ぶ形で配してなる出光反射部と、
前記導光板の前記光出射面と前記反対板面とのうちの一方側に配されるプリズム部であって、前記第１方向に沿って延在する単位プリズムを、前記第２方向に沿って複数並ぶ形で配してなるプリズム部と、
前記導光板の前記光出射面と前記反対板面とのうちの他方側に配されるレンチキュラーレンズ部であって、前記第１方向に沿って延在するシリンドリカルレンズを前記第２方向に沿って複数並ぶ形で配してなるとともに、前記第１方向について前記光入射面に近い側では前記シリンドリカルレンズにおける前記第２方向についての占有比率が相対的に高いものの前記光入射面から遠い側では前記シリンドリカルレンズにおける前記第２方向についての占有比率が相対的に低くなるよう構成されたレンチキュラーレンズ部と、
前記導光板の前記光出射面と前記反対板面とのうちの他方側に配されるとともに、前記第１方向及び前記第２方向に沿って平坦な平坦状部であって、前記第２方向について前記シリンドリカルレンズに対して隣り合う形で配されるとともに、前記第１方向について前記光入射面に近い側では前記第２方向についての占有比率が相対的に低いものの前記光入射面から遠い側では前記第２方向についての占有比率が相対的に高くなる平坦状部と、を備える照明装置。
【請求項２】
前記出光反射部及び前記プリズム部は、前記導光板の前記反対板面側に配されているのに対し、前記レンチキュラーレンズ部は、前記導光板の前記光出射面側に配されている請求項１記載の照明装置。
【請求項３】
前記プリズム部は、前記単位プリズムの頂角が９０°〜１００°の範囲とされる請求項２記載の照明装置。
【請求項４】
前記プリズム部は、前記単位プリズムの頂角が１００°とされる請求項２または請求項３記載の照明装置。
【請求項５】
前記プリズム部は、前記単位プリズムの頂角が１２０°〜１６０°の範囲とされる請求項２記載の照明装置。
【請求項６】
前記プリズム部は、前記単位プリズムの頂角が１３３°〜１４０°の範囲とされる請求項２または請求項５記載の照明装置。
【請求項７】
前記導光板の前記反対板面と対向する形で配されるとともに光を反射する反射面を有する反射部材を備えており、
前記出光反射部及び前記プリズム部は、前記導光板の前記光出射面側に配されているのに対し、前記レンチキュラーレンズ部は、前記導光板の前記反対板面側に配されている請求項１記載の照明装置。
【請求項８】
前記プリズム部は、前記単位プリズムの頂角が１３５°〜１５５°の範囲とされる請求項７記載の照明装置。
【請求項９】
前記プリズム部は、前記単位プリズムの頂角が１５０°とされる請求項７または請求項８記載の照明装置。
【請求項１０】
前記プリズム部は、前記単位プリズムの頂角が１１０°とされる請求項７記載の照明装置。
【請求項１１】
前記レンチキュラーレンズ部は、前記シリンドリカルレンズが凹型をなすよう設けられている請求項１から請求項１０のいずれか１項に記載の照明装置。
【請求項１２】
前記レンチキュラーレンズ部は、前記シリンドリカルレンズが凸型をなすよう設けられている請求項１から請求項１０のいずれか１項に記載の照明装置。
【請求項１３】
前記出光反射部及び前記プリズム部は、前記導光板の前記反対板面側に配されているのに対し、前記レンチキュラーレンズ部は、前記導光板の前記光出射面側に配されており、
前記レンチキュラーレンズ部を構成する前記シリンドリカルレンズには、相対的に低い第１シリンドリカルレンズと、相対的に高い第２シリンドリカルレンズとが含まれており、
前記第１シリンドリカルレンズと、前記出光側異方性集光部との間には、隙間が空けられている請求項１２記載の照明装置。
【請求項１４】
前記レンチキュラーレンズ部及び前記平坦状部は、前記第１方向について前記光入射面から遠ざかるのに従い、前記シリンドリカルレンズにおける前記第２方向についての占有比率が連続的に漸次減少するのに対し、前記平坦状部における前記第２方向についての占有比率が連続的に漸次増加するよう設けられている請求項１から請求項１３のいずれか１項に記載の照明装置。
【請求項１５】
請求項１から請求項１４のいずれか１項に記載の照明装置と、前記照明装置からの光を利用して表示を行う表示パネルとを備える表示装置。
【発明の詳細な説明】
【技術分野】
【０００１】
本発明は、照明装置及び表示装置
【背景技術】
【０００２】
近年、テレビ受信装置をはじめとする画像表示装置の表示素子は、従来のブラウン管から液晶パネルやプラズマディスプレイパネルなどの薄型の表示パネルに移行しつつあり、画像表示装置の薄型化を可能としている。液晶表示装置は、これに用いる液晶パネルが自発光しないため、別途に照明装置としてバックライト装置を必要としており、バックライト装置はその機構によって直下型とエッジライト型とに大別されている。エッジライト型のバックライト装置は、端部に配置した光源からの光を導光する導光板と、導光板からの光に光学作用を付与して均一な面状の光として液晶パネルへと供給する光学部材と、を備えており、その一例として下記特許文献１に記載されたものが知られている。この特許文献１には、導光板の光出射面にレンズ状の突条を複数本並べて配置することで、導光板に集光機能を持たせ、それによりプリズムシートを用いずに輝度の向上を図るようにしている。
【先行技術文献】
【特許文献】
【０００３】
【特許文献１】特開２００５−７１６１０号公報
【０００４】
（発明が解決しようとする課題）
上記した特許文献１では、導光板の光出射面に設けた突条によって出射光の正面輝度の向上を図るようにしているものの、その反面、輝度ムラが発生し易くなるという問題があった。すなわち、上記した特許文献１では、複数の点状光源が導光板の光入射面の長手方向に沿って間隔を空けて並んで配されていることから、導光板のうち光入射面の近くでは、光出射面からの出射光に点状光源の並び方向について明部と暗部とが並ぶ形で輝度ムラが発現し易い傾向にある。これに対し、上記した突条によれば上記した明部の輝度がより高められてしまうため、光入射面の近くにおいて輝度ムラがより発生し易いものとなっていた。
【発明の概要】
【０００５】
本発明は上記のような事情に基づいて完成されたものであって、輝度ムラの発生を抑制することを目的とする。
【０００６】
（課題を解決するための手段）
本発明の照明装置は、光源と、方形の板状をなし、その外周端面のうち対辺をなす一対の端面の少なくともいずれか一方が前記光源から発せられた光が入射される光入射面とされるとともに、一方の板面が光を出射させる光出射面とされ、さらには他方の板面が反対板面とされる導光板と、前記導光板に対して出光側に配され、前記導光板の前記外周端面のうち対辺をなすとともに前記光入射面を含まない一対の端面に沿う第１方向に沿って延在する出光側単位集光部を、前記導光板の前記外周端面のうち前記光入射面を含む前記一対の端面に沿う第２方向に沿って複数並ぶ形で配してなる出光側異方性集光部と、前記導光板の前記光出射面と前記反対板面とのうちの一方側に配されるとともに前記導光板内を伝播する光を反射して前記光出射面からの出光を促すための出光反射部であって、前記第２方向に沿って延在する単位反射部を、前記第１方向に沿って間隔を空けて複数並ぶ形で配してなる出光反射部と、前記導光板の前記光出射面と前記反対板面とのうちの一方側に配されるプリズム部であって、前記第１方向に沿って延在する単位プリズムを、前記第２方向に沿って複数並ぶ形で配してなるプリズム部と、前記導光板の前記光出射面と前記反対板面とのうちの他方側に配されるレンチキュラーレンズ部であって、前記第１方向に沿って延在するシリンドリカルレンズを前記第２方向に沿って複数並ぶ形で配してなるとともに、前記第１方向について前記光入射面に近い側では前記シリンドリカルレンズにおける前記第２方向についての占有比率が相対的に高いものの前記光入射面から遠い側では前記シリンドリカルレンズにおける前記第２方向についての占有比率が相対的に低くなるよう構成されたレンチキュラーレンズ部と、前記導光板の前記光出射面と前記反対板面とのうちの他方側に配されるとともに、前記第１方向及び前記第２方向に沿って平坦な平坦状部であって、前記第２方向について前記シリンドリカルレンズに対して隣り合う形で配されるとともに、前記第１方向について前記光入射面に近い側では前記第２方向についての占有比率が相対的に低いものの前記光入射面から遠い側では前記第２方向についての占有比率が相対的に高くなる平坦状部と、を備える。
【０００７】
このようにすれば、光源から発せられた光は、導光板の光入射面に入射し、導光板内を伝播され、その過程で出光反射部により反射される。この出光反射部を構成する単位反射部は、第２方向に沿って延在するとともに第１方向に沿って間隔を空けて複数並ぶ形で配されているので、導光板内を第１方向に沿って進行する光を反射し、光出射面からの出射を促すことができる。光出射面からの出射光の少なくとも一部に関しては、プリズム部とレンチキュラーレンズ部との少なくともいずれか一方によってそれぞれ異方性集光作用が付与されている。すなわち、プリズム部及びレンチキュラーレンズ部は、それぞれ第１方向に沿って延在する単位プリズム及びシリンドリカルレンズを第２方向に沿って複数並ぶ形で配した構成であるから、光出射面からの出射光の少なくとも一部には、単位プリズムとシリンドリカルレンズとの少なくともいずれか一方によって第２方向について選択的に集光作用が付与されることになる。
【０００８】
一方、出光反射部により反射されることなく導光板内を第１方向に沿って伝播する光に関しては、プリズム部及びレンチキュラーレンズ部により全反射されることで、第２方向について拡散しつつ導光板内を伝播するものとされる。特に、レンチキュラーレンズ部は、シリンドリカルレンズにより構成されているので、このシリンドリカルレンズにより全反射された光が第２方向についてより広範囲に拡散され易くなっている。
【０００９】
導光板の光出射面から出射された光は、導光板に対して出光側に配された出光側異方性集光部によって異方性集光作用が付与される。すなわち、出光側異方性集光部は、第１方向に沿って延在する出光側単位集光部を第２方向に沿って複数並ぶ形で配した構成であるから、出光側単位集光部から出射する光には、出光側単位集光部の並び方向である第２方向について選択的に集光作用が付与される。ここで、レンチキュラーレンズ部を構成するシリンドリカルレンズは、出光反射部による反射光に対して上記のように異方性集光作用を付与するものの、その異方性集光作用を付与された光は、出光側異方性集光部においては第２方向について集光され難く、むしろ第２方向について拡散され易くなっている。一方、第２方向についてシリンドリカルレンズに対して隣り合う形で配される平坦状部は、出光反射部による反射光に対して特定の光学作用を付与することが殆どないものとされるので、平坦状部を介して出光側異方性集光部へと出射された光は、プリズム部により付与された異方性集光作用が支配的に付与されたものとなり、それにより出光側異方性集光部では第２方向について集光作用が付与され易くなっている。従って、レンチキュラーレンズ部のシリンドリカルレンズにおける第２方向についての占有比率が高く且つ平坦状部における第２方向についての占有比率が低くなるほど、出光側異方性集光部の出射光においては第２方向について輝度ムラが緩和され易くなるものの輝度が低下し易くなる傾向とされるのに対し、平坦状部における第２方向についての占有比率が高くなり且つシリンドリカルレンズにおける第２方向についての占有比率が低くなるほど、出光側異方性集光部の出射光においては第２方向について輝度ムラが緩和され難くなるものの輝度が向上し易くなる傾向とされる。
【００１０】
そして、上記したようにレンチキュラーレンズ部及び平坦状部は、第１方向について光入射面に近い側ではシリンドリカルレンズにおける第２方向についての占有比率が相対的に高く且つ平坦状部における第２方向についての占有比率が相対的に低くなるのに対し、第１方向について光入射面から遠い側ではシリンドリカルレンズにおける第２方向についての占有比率が相対的に低く且つ平坦状部における第２方向についての占有比率が相対的に高くなるよう設けられているから、光源に起因する輝度ムラの発生が懸念される第１方向について光入射面に近い側においては、相対的に高い占有比率とされたレンチキュラーレンズ部のシリンドリカルレンズにより出光側異方性集光部の出射光に第２方向について輝度ムラが生じ難くされるのに対し、本来的に光源に起因する輝度ムラが発生し難いものとされる第１方向について光入射面から遠い側においては、相対的に高い占有比率とされた平坦状部により出光側異方性集光部の出射光に係る輝度がより高いものとされる。以上により、出光側異方性集光部の出射光に関して輝度ムラが緩和されるのに加えて輝度の向上が図られる。
【００１１】
本発明の実施態様として、次の構成が好ましい。
（１）前記出光反射部及び前記プリズム部は、前記導光板の前記反対板面側に配されているのに対し、前記レンチキュラーレンズ部は、前記導光板の前記光出射面側に配されている。このようにすれば、導光板の反対板面側に配された出光反射部を構成する単位反射部により反射される光の少なくとも一部は、プリズム部により異方性集光作用を付与されつつ光出射面へと向かい、そこに配されたレンチキュラーレンズ部により異方性集光作用を付与されつつ出射される。仮に出光反射部を光出射面側に配した場合に比べると、出光反射部により反射された光が光出射面から出射するまでの光路が単純なものになるとともに光の損失が生じ難くなるので、輝度低下が生じ難いものとされる。
【００１２】
（２）前記プリズム部は、前記単位プリズムの頂角が９０°〜１００°の範囲とされる。このようにすれば、仮にシリンドリカルレンズにおける第２方向についての占有比率を一定とした場合に比べると、光出射面からの出射光に係る輝度を十分に向上させることができる。
【００１３】
（３）前記プリズム部は、前記単位プリズムの頂角が１００°とされる。このようにすれば、仮にシリンドリカルレンズにおける第２方向についての占有比率を一定とした場合に比べると、光出射面からの出射光に係る輝度を最も向上させることができる。
【００１４】
（４）前記プリズム部は、前記単位プリズムの頂角が１２０°〜１６０°の範囲とされる。このようにすれば、仮にシリンドリカルレンズにおける第２方向についての占有比率を一定とした場合に比べると、光出射面からの出射光に係る輝度を十分に向上させることができる。
【００１５】
（５）前記プリズム部は、前記単位プリズムの頂角が１３３°〜１４０°の範囲とされる。このようにすれば、仮にシリンドリカルレンズにおける第２方向についての占有比率を一定とした場合に比べると、光出射面からの出射光に係る輝度をより向上させることができる。
【００１６】
（６）前記導光板の前記反対板面と対向する形で配されるとともに光を反射する反射面を有する反射部材を備えており、前記出光反射部及び前記プリズム部は、前記導光板の前記光出射面側に配されているのに対し、前記レンチキュラーレンズ部は、前記導光板の前記反対板面側に配されている。このようにすれば、導光板の光出射面側に配された出光反射部を構成する単位反射部により反射された光の少なくとも一部は、一旦反対板面へと向かい、そこでレンチキュラーレンズ部により異方性集光作用を付与されつつ出射されてから反射部材により反射されることで、再び反対板面に入射しつつ光出射面へと向かい、そこでプリズム部により異方性集光作用を付与されつつ出射される。このように出光反射部により反射された光が光出射面から出射するまでの光路が複雑なものとなり、特に反対板面側から反射部材へと出射する際と、反射部材側から反対板面へと入射する際と、の少なくとも２回、光が屈折作用を受けることになる。出光反射部による反射光のうちプリズム部により異方性集光作用を付与されない光に関しては、上記した２回の屈折作用により第２方向について拡散し易くなるので、第２方向について光が良好に混合され、もって光出射面からの出射光に第２方向について輝度ムラがより生じ難いものとなる。
【００１７】
（７）前記プリズム部は、前記単位プリズムの頂角が１３５°〜１５５°の範囲とされる。このようにすれば、仮にシリンドリカルレンズにおける第２方向についての占有比率を一定とした場合に比べると、光出射面からの出射光に係る輝度を十分に向上させることができる。
【００１８】
（８）前記プリズム部は、前記単位プリズムの頂角が１５０°とされる。このようにすれば、仮にシリンドリカルレンズにおける第２方向についての占有比率を一定とした場合に比べると、光出射面からの出射光に係る輝度を最も向上させることができる。
【００１９】
（９）前記プリズム部は、前記単位プリズムの頂角が１１０°とされる。このようにすれば、仮にシリンドリカルレンズにおける第２方向についての占有比率を一定とした場合に比べると、光出射面からの出射光に係る輝度を十分に向上させることができる。
【００２０】
（１０）前記レンチキュラーレンズ部は、前記シリンドリカルレンズが凹型をなすよう設けられている。このようにすれば、仮にシリンドリカルレンズを凸型をなすようにした場合に比べると、導光板内を伝播する光がシリンドリカルレンズにおける曲面状をなす界面に対して臨界角を超える入射角でもって入射する確率が高いものとなるので、光が同界面から出射し難くなる。これにより、導光板内を伝播する光がシリンドリカルレンズにより全反射され易くなるとともに第２方向について拡散され易くなり、もって第２方向について輝度ムラがより生じ難いものとなる。
【００２１】
（１１）前記レンチキュラーレンズ部は、前記シリンドリカルレンズが凸型をなすよう設けられている。このようにすれば、仮にシリンドリカルレンズを凹型をなすようにした場合に比べると、導光板内を伝播する光がシリンドリカルレンズにおける曲面状をなす界面に対して臨界角を超えない入射角でもって入射する確率が高いものとなるので、光が同界面から出射し易くなる。
【００２２】
（１２）前記出光反射部及び前記プリズム部は、前記導光板の前記反対板面側に配されているのに対し、前記レンチキュラーレンズ部は、前記導光板の前記光出射面側に配されており、前記レンチキュラーレンズ部を構成する前記シリンドリカルレンズには、相対的に低い第１シリンドリカルレンズと、相対的に高い第２シリンドリカルレンズとが含まれており、前記第１シリンドリカルレンズと、前記出光側異方性集光部との間には、隙間が空けられている。このようにすれば、複数のシリンドリカルレンズに含まれる第１シリンドリカルレンズと、出光側異方性集光部との間に隙間が空けられることで、レンチキュラーレンズ部に対して出光側異方性集光部が密着し難いものとされる。これにより、当該照明装置の出射光に輝度ムラの発生を抑制することができる。
【００２３】
（１３）前記レンチキュラーレンズ部及び前記平坦状部は、前記第１方向について前記光入射面から遠ざかるのに従い、前記シリンドリカルレンズにおける前記第２方向についての占有比率が連続的に漸次減少するのに対し、前記平坦状部における前記第２方向についての占有比率が連続的に漸次増加するよう設けられている。このようにすれば、仮にレンチキュラーレンズ部のシリンドリカルレンズにおける第２方向についての占有比率と、平坦状部における第２方向についての占有比率とを段階的に変化させた場合に比べると、輝度ムラの発生をより好適に抑制することができ、また輝度の向上にもより好適となる。
【００２４】
（１４）前記出光反射部は、前記単位反射部が前記第２方向について間隔を空けて断続的に並ぶ複数の分割単位反射部から構成されている。まず、単位反射部は、その表面積の大きさに反射光量が比例する傾向にあることから、必要な反射光量を得るには表面積の大きさをそれに応じた値としなければならない。ここで、仮に単位反射部を第２方向について導光板の全長にわたって延在する形で形成した場合には、単位反射部の表面積を上記値とするには、単位反射部における導光板の板面の法線方向についての寸法を一定以上に大きくすることができない。これに比べて、単位反射部を、第２方向について間隔を空けて断続的に並ぶ複数の分割単位反射部から構成すれば、単位反射部の表面積を上記値とするに際して、単位反射部における導光板の板面の法線方向についての寸法を相対的に大きくすることができる。従って、例えば導光板を樹脂成形により製造し、その光出射面と反対板面とのうちの一方側に出光反射部を一体成形した場合には、光出射面と反対板面とのうちの一方側において単位反射部をなす分割単位反射部が設計通りの形状でもって形成され易くなる。これにより、出光反射部の光学性能を適切に発揮させることができる。
【００２５】
なお、仮に単位反射部を第２方向について導光板の全長にわたって延在する形で形成した場合には、第１方向について並ぶ単位反射部の数を削減することで、各単位反射部の表面積を足した総面積を調整することが可能ではあるものの、そうすると第１方向について並ぶ単位反射部の配列間隔が大きくなるため、輝度ムラが生じることが懸念される。その点、単位反射部を、第２方向について間隔を空けて断続的に並ぶ複数の分割単位反射部から構成すれば、第１方向について並ぶ単位反射部の数及び配列間隔を変更する必要がないから、当該照明装置の出射光に輝度ムラが生じ難いものとされる。
【００２６】
（１５）前記出光反射部は、前記単位反射部が、前記プリズム部を構成する前記単位プリズムのうちの頂部側を部分的に切り欠くことで前記第２方向に沿って開口する形態となるよう形成されている。仮に単位反射部が第２方向に沿って開口せずに第１方向に沿う側面を有する形態とされた場合には、その第１方向に沿う側面によって光が屈折または反射されることで、プリズム部による集光性能が劣化することが懸念される。その点、単位反射部が、単位プリズムのうちの頂部側を部分的に切り欠くことで第２方向に沿って開口する形態となるよう出光反射部が形成されているので、プリズム部による集光性能が良好に発揮され、それにより当該照明装置の出射光に係る輝度をより高めることができる。
【００２７】
次に、上記課題を解決するために、本発明の表示装置は、上記記載の照明装置と、前記照明装置からの光を利用して表示を行う表示パネルとを備える。
【００２８】
このような構成の表示装置によれば、照明装置の出射光に輝度ムラが生じ難く且つ高輝度とされているから、表示品位に優れた表示を実現することができる。
【００２９】
（発明の効果）
本発明によれば、輝度ムラの発生を抑制することができる。
【図面の簡単な説明】
【００３０】
【図１】本発明の実施形態１に係る液晶表示装置の概略構成を示す分解斜視図
【図２】液晶表示装置を構成するバックライト装置の概略構成を示す分解斜視図
【図３】液晶表示装置における長辺方向（第１方向、Ｘ軸方向）に沿った断面構成を示す断面図
【図４】液晶表示装置における短辺方向（第２方向、Ｙ軸方向）に沿った断面構成を示す断面図
【図５】図３のＬＥＤ付近を拡大した断面図
【図６】導光板の平面図
【図７】導光板のうち、光入射面側の端部付近と、反対端面側の端部付近とを拡大した平面図
【図８】導光板の底面図
【図９】図６のＡ−Ａ線断面図
【図１０】図６のＢ−Ｂ線断面図
【図１１】図６のＣ−Ｃ線断面図
【図１２】図６のＤ−Ｄ線断面図
【図１３】プリズムシートに対する光の入射角と、プリズムシートからの光の出射角との関係を表すグラフ
【図１５】比較実験１において、導光板の単位プリズムの頂角と、プリズムシートの出射光の相対輝度と、の関係を表すグラフ
【図１６】比較実験２において、比較例１，２に係る各導光板の出射光をプリズムシートに透過させて得た出射光における第２方向についての輝度角度分布を表すグラフ
【図１４】比較実験３において、比較例１，２及び実施例１に係る各導光板を光出射面側から撮影した写真と、輝度ムラの判定結果とを示す表
【図１７】比較実験４において、比較例２及び実施例１に係る各導光板における第１方向についての光入射面寄りの位置での出射光をプリズムシートに透過させて得た出射光における第２方向についての輝度角度分布を表すグラフ
【図１８】比較実験４において、比較例２及び実施例１に係る各導光板における第１方向についての中央位置での出射光をプリズムシートに透過させて得た出射光における第２方向についての輝度角度分布を表すグラフ
【図１９】比較実験４において、比較例２及び実施例１に係る各導光板における第１方向についての反対端面寄りの位置での出射光をプリズムシートに透過させて得た出射光における第２方向についての輝度角度分布を表すグラフ
【図２０】比較実験５において、比較例３及び実施例１に係る各導光板の出光反射部をなす単位反射部の高さ寸法を示すグラフ
【図２１】比較実験５において、比較例３及び実施例１に係る各導光板の第１位置から第５位置までにおける単位反射部の高さ寸法と、単位反射部の形状再現性とを示す表
【図２２】本発明の実施形態２に係る導光板の底面図
【図２３】図２２のＡ−Ａ線断面図
【図２４】図２２のＢ−Ｂ線断面図
【図２５】図２２のＣ−Ｃ線断面図
【図２６】図２２のＤ−Ｄ線断面図
【図２７】比較実験６において、比較例４，５に係る各導光板の出射光をプリズムシートに透過させて得た出射光における第２方向についての輝度角度分布を表すグラフ
【図２８】比較実験７において、単位プリズムの頂角と、プリズムシートの出射光の相対輝度と、の関係を表すグラフ
【図２９】比較実験８において、比較例５及び実施例２に係る各導光板における第１方向についての光入射面寄りの位置での出射光をプリズムシートに透過させて得た出射光における第２方向についての輝度角度分布を表すグラフ
【図３０】比較実験８において、比較例５及び実施例２に係る各導光板における第１方向についての中央位置での出射光をプリズムシートに透過させて得た出射光における第２方向についての輝度角度分布を表すグラフ
【図３１】比較実験８において、比較例５及び実施例２に係る各導光板における第１方向についての反対端面寄りの位置での出射光をプリズムシートに透過させて得た出射光における第２方向についての輝度角度分布を表すグラフ
【図３２】本発明の実施形態３に係る導光板を第１方向について光入射面寄りの位置にて第２方向に沿って切断した断面構成を示す断面図
【図３３】導光板を第１方向について中央位置にて第２方向に沿って切断した断面構成を示す断面図
【図３４】導光板を第１方向について反対端面寄りの位置にて第２方向に沿って切断した断面構成を示す断面図
【図３５】本発明の実施形態４に係る導光板、反射シート、及びプリズムシートを第２方向に沿って切断した断面構成を示す断面図
【図３６】本発明の実施形態５に係る導光板を第１方向について光入射面寄りの位置にて第２方向に沿って切断した断面構成を示す断面図
【図３７】導光板を第１方向について中央位置にて第２方向に沿って切断した断面構成を示す断面図
【図３８】導光板を第１方向について反対端面寄りの位置にて第２方向に沿って切断した断面構成を示す断面図
【図３９】本発明の実施形態６に係る導光板の平面図
【図４０】本発明の実施形態７に係る導光板の平面図
【図４１】本発明の実施形態８に係る導光板の平面図
【図４２】本発明の実施形態９に係る導光板の平面図
【図４３】本発明の実施形態１０に係る導光板の平面図
【図４４】本発明の実施形態１１に係る導光板の平面図
【図４５】本発明の実施形態１２に係る導光板の平面図
【図４６】本発明の実施形態１３に係る導光板及びＬＥＤ基板の平面図
【発明を実施するための形態】
【００３１】
＜実施形態１＞
本発明の実施形態１を図１から図２１によって説明する。本実施形態では、液晶表示装置１０について例示する。なお、各図面の一部にはＸ軸、Ｙ軸及びＺ軸を示しており、各軸方向が各図面で示した方向となるように描かれている。また、上下方向については、図３から図５を基準とし、且つ同図上側を表側とするとともに同図下側を裏側とする。
【００３２】
液晶表示装置１０は、図１に示すように、全体として平面に視て長方形状をなしており、基幹部品である液晶表示ユニットＬＤＵにタッチパネル１４、カバーパネル（保護パネル、カバーガラス）１５、及びケーシング１６などの部品を組み付けてなるものとされる。液晶表示ユニットＬＤＵは、表側に画像を表示する表示面ＤＳを有する液晶パネル（表示パネル）１１と、液晶パネル１１の裏側に配されて液晶パネル１１に向けて光を照射するバックライト装置（照明装置）１２と、液晶パネル１１を表側、つまりバックライト装置１２側とは反対側（表示面ＤＳ側）から押さえるフレーム（筐体部材）１３とを有してなる。タッチパネル１４及びカバーパネル１５は、共に液晶表示ユニットＬＤＵを構成するフレーム１３内に表側から収容されるとともに、外周部分（外周端部を含む）がフレーム１３によって裏側から受けられている。タッチパネル１４は、液晶パネル１１に対して表側に所定の間隔を空けた位置に配されるとともに、裏側（内側）の板面が表示面ＤＳと対向状をなす対向面とされている。カバーパネル１５は、タッチパネル１４に対して表側に重なる形で配されるとともに、裏側（内側）の板面がタッチパネル１４の表側の板面と対向状をなす対向面とされている。なお、タッチパネル１４とカバーパネル１５との間には、反射防止フィルムＡＲが介設されている（図５を参照）。ケーシング１６は、液晶表示ユニットＬＤＵを裏側から覆う形でフレーム１３に組み付けられている。液晶表示装置１０の構成部品のうち、フレーム１３の一部（後述する環状部１３ｂ）、カバーパネル１５及びケーシング１６が液晶表示装置１０の外観を構成している。本実施形態に係る液晶表示装置１０は、例えばスマートフォンなどの電子機器に用いられるものであり、その画面サイズは、例えば５インチ程度とされている。
【００３３】
まず、液晶表示ユニットＬＤＵを構成する液晶パネル１１について詳しく説明する。液晶パネル１１は、図３及び図４に示すように、平面に視て長方形状をなすとともにほぼ透明で優れた透光性を有するガラス製の一対の基板１１ａ，１１ｂと、両基板１１ａ，１１ｂ間に介在し、電界印加に伴って光学特性が変化する物質である液晶分子を含む液晶層（図示せず）とを備え、両基板１１ａ，１１ｂが液晶層の厚さ分のギャップを維持した状態で図示しないシール材によって貼り合わせられている。この液晶パネル１１は、画像が表示される表示領域（後述する板面遮光層３２により囲まれた中央部分）と、表示領域を取り囲む額縁状をなすとともに画像が表示されない非表示領域（後述する板面遮光層３２と重畳する外周部分）とを有している。なお、液晶パネル１１における長辺方向がＸ軸方向と一致し、短辺方向がＹ軸方向と一致し、さらに厚さ方向がＺ軸方向と一致している。
【００３４】
両基板１１ａ，１１ｂのうち表側（正面側）がＣＦ基板１１ａとされ、裏側（背面側）がアレイ基板１１ｂとされる。アレイ基板１１ｂにおける内面側（液晶層側、ＣＦ基板１１ａとの対向面側）には、スイッチング素子であるＴＦＴ（Thin Film Transistor）及び画素電極が多数個並んで設けられるとともに、これらＴＦＴ及び画素電極の周りには、格子状をなすゲート配線及びソース配線が取り囲むようにして配設されている。各配線には、図示しない制御回路から所定の画像信号が供給されるようになっている。ゲート配線及びソース配線により囲まれた方形の領域に配された画素電極は、ＩＴＯ（Indium Tin Oxide：酸化インジウム錫）或いはＺｎＯ（Zinc Oxide：酸化亜鉛）といった透明電極からなる。
【００３５】
一方、ＣＦ基板１１ａには、各画素に対応した位置に多数個のカラーフィルタが並んで設けられている。カラーフィルタは、Ｒ，Ｇ，Ｂの三色が交互に並ぶ配置とされる。各カラーフィルタ間には、混色を防ぐための遮光層（ブラックマトリクス）が形成されている。カラーフィルタ及び遮光層の表面には、アレイ基板１１ｂ側の画素電極と対向する対向電極が設けられている。このＣＦ基板１１ａは、アレイ基板１１ｂよりも一回り小さい大きさとされる。また、両基板１１ａ，１１ｂの内面側には、液晶層に含まれる液晶分子を配向させるための配向膜がそれぞれ形成されている。なお、両基板１１ａ，１１ｂの外面側には、それぞれ偏光板１１ｃ，１１ｄが貼り付けられている（図５を参照）。
【００３６】
続いて、液晶表示ユニットＬＤＵを構成するバックライト装置１２について詳しく説明する。バックライト装置１２は、図１に示すように、全体として液晶パネル１１と同様に平面に視て長方形の略ブロック状をなしている。バックライト装置１２は、図２から図４に示すように、光源であるＬＥＤ（Light Emitting Diode：発光ダイオード）１７と、ＬＥＤ１７が実装されたＬＥＤ基板（光源基板）１８と、ＬＥＤ１７からの光を導光する導光板１９と、導光板１９からの光を反射する反射シート（反射部材）４０と、導光板１９上に積層配置される光学シート（出光側異方性集光部、光学部材）２０と、導光板１９を表側から押さえる遮光フレーム２１と、ＬＥＤ基板１８、導光板１９、光学シート２０及び遮光フレーム２１を収容するシャーシ２２と、シャーシ２２の外面に接する形で取り付けられる放熱部材２３と、を備える。このバックライト装置１２は、その外周部分のうち短辺側の一端部にＬＥＤ１７（ＬＥＤ基板１８）が偏在する形で配された、片側入光方式のエッジライト型（サイドライト型）とされる。
【００３７】
ＬＥＤ１７は、図２，図３及び図５に示すように、ＬＥＤ基板１８に固着される基板部上にＬＥＤチップを樹脂材により封止した構成とされる。基板部に実装されるＬＥＤチップは、主発光波長が１種類とされ、具体的には、青色を単色発光するものが用いられている。その一方、ＬＥＤチップを封止する樹脂材には、ＬＥＤチップから発せられた青色の光により励起されて所定の色を発光する蛍光体が分散配合されており、全体として概ね白色光を発するものとされる。なお、蛍光体としては、例えば黄色光を発光する黄色蛍光体、緑色光を発光する緑色蛍光体、及び赤色光を発光する赤色蛍光体の中から適宜組み合わせて用いたり、またはいずれか１つを単独で用いることができる。このＬＥＤ１７は、ＬＥＤ基板１８に対する実装面とは反対側の面が発光面１７ａとなる、いわゆる頂面発光型とされている。
【００３８】
ＬＥＤ基板１８は、図２，図３及び図５に示すように、Ｙ軸方向（導光板１９及びシャーシ２２の短辺方向）に沿って延在する、長手の板状をなしており、その板面をＹ軸方向及びＺ軸方向に並行させた姿勢、すなわち液晶パネル１１及び導光板１９の板面と直交させた姿勢でシャーシ２２内に収容されている。つまり、このＬＥＤ基板１８は、板面における長辺方向がＹ軸方向と、短辺方向がＺ軸方向とそれぞれ一致し、さらには板面と直交する板厚方向がＸ軸方向と一致した姿勢とされる。ＬＥＤ基板１８は、その内側を向いた板面（実装面１８ａ）が導光板１９における一方の短辺側の端面（光入射面１９ｂ、光源対向端面）に対してＸ軸方向について所定の間隔を空けつつ対向状に配されている。従って、ＬＥＤ１７及びＬＥＤ基板１８と導光板１９との並び方向は、Ｘ軸方向とほぼ一致している。このＬＥＤ基板１８は、その長さ寸法が導光板１９の短辺寸法とほぼ同じ程度かそれよりも大きなものとされており、後述するシャーシ２２における短辺側の一端部に取り付けられている。
【００３９】
ＬＥＤ基板１８のうち内側、つまり導光板１９側を向いた板面（導光板１９との対向面）には、図５に示すように、上記した構成のＬＥＤ１７が表面実装されており、ここが実装面１８ａとされる。ＬＥＤ１７は、ＬＥＤ基板１８の実装面１８ａにおいて、その長さ方向（Ｙ軸方向）に沿って複数が所定の間隔を空けつつ一列に（直線的に）並んで配置されている。つまり、ＬＥＤ１７は、バックライト装置１２における短辺側の一端部において短辺方向に沿って複数ずつ間欠的に並んで配置されていると言える。隣り合うＬＥＤ１７間の配列間隔（配列ピッチ）は、ほぼ等しいものとされる。また、ＬＥＤ基板１８の実装面１８ａには、Ｙ軸方向に沿って延在するとともにＬＥＤ１７群を横切って隣り合うＬＥＤ１７同士を直列接続する、金属膜（銅箔など）からなる配線パターン（図示せず）が形成されており、この配線パターンの両端部に形成された端子部が外部のＬＥＤ駆動回路に接続されることで、駆動電力を各ＬＥＤ１７に供給することが可能とされる。また、ＬＥＤ基板１８の基材は、シャーシ２２と同様に金属製とされ、その表面に絶縁層を介して既述した配線パターン（図示せず）が形成されている。なお、ＬＥＤ基板１８の基材に用いる材料としては、セラミックなどの絶縁材料を用いることも可能である。
【００４０】
導光板１９は、屈折率が空気よりも十分に高く且つほぼ透明で透光性に優れた合成樹脂材料（例えばＰＭＭＡなどのアクリル樹脂など）からなる。導光板１９は、図２及び図６に示すように、液晶パネル１１と同様に平面に視て概ね長方形状をなす平板状とされており、その板面が液晶パネル１１の板面（表示面ＤＳ）に並行している。導光板１９は、その板面における長辺方向がＸ軸方向と、短辺方向がＹ軸方向とそれぞれ一致し、且つ板面と直交する板厚方向がＺ軸方向と一致している。導光板１９は、図３及び図４に示すように、シャーシ２２内において液晶パネル１１及び光学シート２０の直下位置に配されており、その外周端面のうちの一方の短辺側の端面がシャーシ２２における短辺側の一端部に配されたＬＥＤ基板１８の各ＬＥＤ１７とそれぞれ対向状をなしている。従って、ＬＥＤ１７（ＬＥＤ基板１８）と導光板１９との並び方向がＸ軸方向と一致するのに対して、光学シート２０（液晶パネル１１）と導光板１９との並び方向（重なり方向）がＺ軸方向と一致しており、両並び方向が互いに直交するものとされる。そして、導光板１９は、ＬＥＤ１７からＸ軸方向（ＬＥＤ１７と導光板１９との並び方向）に沿って導光板１９へ向けて発せられた光を短辺側の端面から導入するとともに、その光を内部で伝播させつつ光学シート２０側（表側、光出射側）へ向くよう立ち上げて板面から出射させる機能を有する。
【００４１】
平板状をなす導光板１９の板面のうち、表側（出光側）を向いた板面（液晶パネル１１や光学シート２０との対向面）は、図３及び図４に示すように、内部の光を光学シート２０及び液晶パネル１１側に向けて出射させる光出射面１９ａとなっている。導光板１９における板面に対して隣り合う外周端面のうち、Ｙ軸方向（ＬＥＤ１７の並び方向、ＬＥＤ基板１８の長辺方向）に沿って長手状をなす一対の短辺側の端面のうちの一方（図３に示す左側）の端面は、図５に示すように、ＬＥＤ１７（ＬＥＤ基板１８）と所定の空間を空けて対向状をなしており、これがＬＥＤ１７から発せられた光が入射される光入射面１９ｂ、言い換えるとＬＥＤ１７と対向するＬＥＤ対向端面（光源対向端面）となっている。光入射面１９ｂは、Ｙ軸方向及びＺ軸方向に沿って並行する面とされ、光出射面１９ａに対して略直交する面とされる。また、ＬＥＤ１７と光入射面１９ｂ（導光板１９）との並び方向は、Ｘ軸方向と一致しており、光出射面１９ａに並行している。導光板１９の外周端面における一対の短辺側の端面のうち、上記した光入射面１９ｂとは反対側の他方の端面（光入射面１９ｂと対辺をなす端面）は、反対端面（非入光反対面）１９ｄとされるのに対し、光入射面１９ｂ及び反対端面１９ｄの双方に対して隣り合う一対の長辺側の端面（対辺をなすとともに光入射面１９ｂを含まない一対の端面）は、それぞれ側端面１９ｅとされる。一対の側端面１９ｅは、Ｘ軸方向（ＬＥＤ１７と導光板１９との並び方向）及びＺ軸方向に沿って並行する面とされる。導光板１９の外周端面のうち、光入射面１９ｂを除いた３つの端面、つまり反対端面１９ｄ及び一対の側端面１９ｅは、図３及び図４に示すように、それぞれＬＥＤ１７とは対向しないＬＥＤ非対向端面（光源非対向端面）とされる。導光板１９の外周端面である光入射面１９ｂに対してＬＥＤ１７から導光板１９内に入射された光は、次述する反射シート４０にて反射されたり、光出射面１９ａ、反対板面１９ｃ、及び他の外周端面（反対端面１９ｄ及び各側端面１９ｅ）にて全反射されることで導光板１９内を効率的に伝播されるようになっている。導光板１９の材料をＰＭＭＡなどのアクリル樹脂とした場合には、屈折率が１．４９程度なので、臨界角は例えば４２°程度となる。なお、以下では、導光板１９の外周端面のうち、対辺をなすとともに光入射面１９ｂを含まない一対の端面（長辺側の端面、側端面１９ｅ）に沿う方向（Ｘ軸方向）を「第１方向」とし、対辺をなすとともに光入射面１９ｂを含む一対の端面（短辺側の端面、光入射面１９ｂ及び反対端面１９ｄ）に沿う方向（Ｙ軸方向）を「第２方向」とし、さらには導光板１９の板面の法線方向（第１方向及び第２方向の双方に対して直交する方向）を「第３方向」とする。
【００４２】
導光板１９の板面のうち、裏側（光出射側とは反対側）を向いた板面（反射シート４０やシャーシ２２の底板２２ａとの対向面）、言い換えると光出射面１９ａとは反対側の板面は、図３及び図４に示すように、反対板面１９ｃとされる。この反対板面１９ｃには、導光板１９からの光を反射して表側、つまり光出射面１９ａ側へ立ち上げることが可能な反射シート４０がそのほぼ全域を覆う形で設けられている。言い換えると、反射シート４０は、シャーシ２２の底板２２ａと導光板１９との間に挟まれた形で配されている。反射シート４０は、導光板１９における反対板面１９ｃと対向するとともに光を反射させる反射面（反射鏡面）４０ａを有している。反射シート４０は、反射面４０ａが銀色を呈するとともに光を鏡面反射させることができるものとされており、例えば合成樹脂製のフィルム基材の表面に、金属薄膜（例えば銀薄膜）を蒸着させてなるものとされる。この反射シート４０のうち、導光板１９における光入射面１９ｂ側の端部は、図５に示すように、光入射面１９ｂよりも外側、つまりＬＥＤ１７側に向けて延出されており、この延出部分によってＬＥＤ１７からの光を反射することで、光入射面１９ｂへの光の入射効率を向上させることができる。
【００４３】
導光板１９における反対板面１９ｃには、図３及び図７に示すように、導光板１９内を伝播する光を反射して光出射面１９ａからの出射を促すための出光反射部４１が設けられている。出光反射部４１は、導光板１９に一体に設けられており、そのためには、例えば導光板１９を射出成形によって製造し、その成形金型のうち反対板面１９ｃを成形するための成形面に予め出光反射部４１を転写するための転写形状を形成しておけばよい。出光反射部４１は、図９に示すように、第２方向（Ｙ軸方向）に沿って延在するとともに断面形状が略三角形（略Ｖ字型）をなす溝状の単位反射部（単位出光反射部）４１ａを、第１方向（Ｘ軸方向）に沿って間隔を空けて複数並んで配置（間欠配置）してなるものとされる。単位反射部４１ａは、第１方向についてＬＥＤ１７側（光入射面１９ｂ側）に配される主反射面４１ａ１と、第１方向についてＬＥＤ１７側とは反対側（反対端面１９ｄ側）に配される再入射面４１ａ２と、有している。主反射面４１ａ１は、第１方向についてＬＥＤ１７側とは反対側（反対端面１９ｄ側）に向かうに従って次第に光出射面１９ａに近づく（反対板面１９ｃから遠ざかる）よう上り勾配となる傾斜面とされる。再入射面４１ａ２は、第１方向についてＬＥＤ１７側とは反対側に向かうに従って次第に光出射面１９ａから遠ざかる（反対板面１９ｃに近づく）よう下り勾配となる傾斜面とされる。主反射面４１ａ１は、光出射面１９ａや反対板面１９ｃに対してなす傾斜角度θｓ１が、例えば４０°〜５０°の範囲とされるのが好ましく、図９には４５°程度としたものを図示している。再入射面４１ａ２は、光出射面１９ａや反対板面１９ｃに対してなす傾斜角度θｓ２が、例えば７０°〜８５°の範囲とされるのが好ましく、図９には８０°程度としたものを図示している。つまり、主反射面４１ａ１の上記傾斜角度θｓ１は、再入射面４１ａ２の上記傾斜角度θｓ２よりも小さいものとされる。そして、この単位反射部４１ａは、第１方向について光入射面１９ｂ側に配された主反射面４１ａ１にて光を反射させることで、光出射面１９ａに対する入射角が臨界角を超えない光を生じさせて光出射面１９ａからの出射を促すことが可能とされている。これに対し、単位反射部４１ａに有される再入射面４１ａ２は、主反射面４１ａ１に対する入射角が臨界角を超えない光が主反射面４１ａ１を透過したとき、当該透過光を導光板１９内に再入射させることが可能とされる。第１方向に沿って並んだ複数の単位反射部４１ａは、第１方向について光入射面１９ｂ（ＬＥＤ１７）から遠ざかるほどその高さ寸法（第３方向についての寸法）が次第に大きくなるとともに主反射面４１ａ１及び再入射面４１ａ２の面積（表面積）が次第に大きくなるよう配置されている。これにより、光出射面１９ａからの出射光が光出射面１９ａの面内において均一な分布となるよう制御されている。なお、単位反射部４１ａは、第１方向についての配列間隔（配列ピッチ）が、ＬＥＤ１７からの距離に拘わらずほぼ一定となるよう配されている。
【００４４】
光学シート２０は、図２から図４に示すように、液晶パネル１１及びシャーシ２２と同様に平面に視て長方形状をなしている。光学シート２０は、導光板１９の光出射面１９ａに対して表側（出光側）に重なる形で配されている。つまり、光学シート２０は、液晶パネル１１と導光板１９との間に介在して配されることで、導光板１９からの出射光を透過するとともにその透過光に所定の光学作用を付与しつつ液晶パネル１１に向けて出射させる。なお、光学シート２０に関しては後に詳しく説明する。
【００４５】
遮光フレーム２１は、図３及び図４に示すように、導光板１９の外周部分（外周端部）に倣う形で延在する略枠状（額縁状）に形成されており、導光板１９の外周部分をほぼ全周にわたって表側から押さえることが可能とされる。この遮光フレーム２１は、合成樹脂製とされるとともに、表面が例えば黒色を呈する形態とされることで、遮光性を有するものとされる。遮光フレーム２１は、その内端部２１ａが導光板１９の外周部分及びＬＥＤ１７と、液晶パネル１１及び光学シート２０の各外周部分（外周端部）との間に全周にわたって介在する形で配されており、これらが光学的に独立するように仕切っている。これにより、ＬＥＤ１７から発せられて導光板１９の光入射面１９ｂに入光しない光や反対端面１９ｄ及び側端面１９ｅから漏れ出した光が、液晶パネル１１及び光学シート２０の各外周部分（特に端面）に直接入光するのを遮光することができるものとされる。また、遮光フレーム２１のうち、ＬＥＤ１７及びＬＥＤ基板１８とは平面に視て重畳しない３つの各辺部（一対の長辺部とＬＥＤ基板１８側とは反対側の短辺部）については、シャーシ２２の底板２２ａから立ち上がる部分と、フレーム１３を裏側から支持する部分とを有しているのに対し、ＬＥＤ１７及びＬＥＤ基板１８と平面に視て重畳する短辺部については、導光板１９の端部及びＬＥＤ基板１８（ＬＥＤ１７）を表側から覆うとともに一対の長辺部間を架橋する形で形成されている。また、この遮光フレーム２１は、次述するシャーシ２２に対して図示しないネジ部材などの固定手段によって固定されている。
【００４６】
シャーシ２２は、例えばアルミニウム板や電気亜鉛めっき綱板（ＳＥＣＣ）などの熱伝導率に優れた金属板からなり、図３及び図４に示すように、液晶パネル１１と同様に平面に視て長方形状をなす底板２２ａと、底板２２ａにおける各辺（一対の長辺及び一対の短辺）の外端からそれぞれ表側に向けて立ち上がる側板２２ｂとからなる。シャーシ２２（底板２２ａ）は、その長辺方向がＸ軸方向と一致し、短辺方向がＹ軸方向と一致している。底板２２ａは、その大部分が導光板１９を裏側（光出射面１９ａ側とは反対側）から支持する導光板支持部２２ａ１とされるのに対し、ＬＥＤ基板１８側の端部が段付き状に裏側に膨出する基板収容部２２ａ２とされる。この基板収容部２２ａ２は、図５に示すように、断面形状が略Ｌ字型をなしており、導光板支持部２２ａ１の端部から屈曲されて裏側に向けて立ち上がる立ち上がり部３８と、立ち上がり部３８の立ち上がり先端部から屈曲されて導光板支持部２２ａ１側とは反対側に向けて突出する収容底部３９とからなる。この立ち上がり部３８における導光板支持部２２ａ１の端部からの屈曲位置は、導光板１９の光入射面１９ｂよりもＬＥＤ１７側とは反対側（導光板支持部２２ａ１の中央寄り）に位置している。収容底部３９における突出先端部からは、長辺側の側板２２ｂが表側に立ち上がるよう屈曲形成されている。そして、この基板収容部２２ａ２に連なる短辺側の側板２２ｂには、ＬＥＤ基板１８が取り付けられており、この側板２２ｂが基板取付部３７を構成している。基板取付部３７は、導光板１９の光入射面１９ｂと対向状をなす対向面を有しており、この対向面にＬＥＤ基板１８が取り付けられている。ＬＥＤ基板１８は、ＬＥＤ１７が実装された実装面１８ａとは反対側の板面が、基板取付部３７における内側の板面に対して両面テープなどの基板固着部材２５を介して接する形で固着されている。取り付けられたＬＥＤ基板１８は、基板収容部２２ａ２をなす収容底部３９の内側の板面との間に僅かながらも隙間を有している。また、シャーシ２２の底板２２ａにおける裏側の板面には、液晶パネル１１の駆動を制御するための液晶パネル駆動回路基板（図示せず）、ＬＥＤ１７に駆動電力を供給するＬＥＤ駆動回路基板（図示せず）、タッチパネル１４の駆動を制御するためのタッチパネル駆動回路基板（図示せず）などが取り付けられている。
【００４７】
放熱部材２３は、アルミニウム板などの熱伝導性に優れた金属板からなり、図３に示すように、シャーシ２２における短辺側の一端部、詳しくはＬＥＤ基板１８を収容する基板収容部２２ａ２に沿って延在する形態とされる。放熱部材２３は、図５に示すように、断面形状が略Ｌ字型をなしており、基板収容部２２ａ２の外面に並行し且つその外面に接する第１放熱部２３ａと、基板収容部２２ａ２に連なる側板２２ｂ（基板取付部３７）の外面に並行する第２放熱部２３ｂとからなる。第１放熱部２３ａは、Ｙ軸方向に沿って延在する細長い平板状をなしており、Ｘ軸方向及びＹ軸方向に並行する表側を向いた板面が、基板収容部２２ａ２における収容底部３９の外面のほぼ全長にわたって当接されている。第１放熱部２３ａは、収容底部３９に対してネジ部材ＳＭによってネジ止めされており、ネジ部材ＳＭを挿通するネジ挿通孔２３ａ１を有している。また、収容底部３９には、ネジ部材ＳＭが螺合されるネジ孔２８が形成されている。これにより、ＬＥＤ１７から発せられた熱は、ＬＥＤ基板１８、基板取付部３７及び基板収容部２２ａ２を介して第１放熱部２３ａへと伝達されるようになっている。なお、ネジ部材ＳＭは、第１放熱部２３ａに対してその延在方向に沿って複数が間欠的に並ぶ形で取り付けられている。第２放熱部２３ｂは、Ｙ軸方向に沿って延在する細長い平板状をなしており、Ｙ軸方向及びＺ軸方向に並行する内側を向いた板面が、基板取付部３７における外側の板面との間に所定の隙間を空けつつ対向状に配されている。
【００４８】
続いて、液晶表示ユニットＬＤＵを構成するフレーム１３について説明する。フレーム１３は、アルミニウムなどの熱伝導率に優れた金属材料からなるものとされており、図１に示すように、全体としては、液晶パネル１１、タッチパネル１４及びカバーパネル１５の各外周部分（外周端部）に倣う形で延在する平面に視て長方形の略枠状（額縁状）をなしている。フレーム１３の製造方法としては、例えばプレス加工などが採られている。フレーム１３は、図３及び図４に示すように、液晶パネル１１の外周部分を表側から押さえるとともに、バックライト装置１２を構成するシャーシ２２との間で、互いに積層された液晶パネル１１、光学シート２０及び導光板１９を挟み込む形で保持している。その一方で、フレーム１３は、タッチパネル１４及びカバーパネル１５の各外周部分を裏側から受けており、液晶パネル１１とタッチパネル１４との外周部分間に介在する形で配されている。これにより、液晶パネル１１とタッチパネル１４との間には、所定の隙間が確保されるので、例えばカバーパネル１５に外力が作用したとき、カバーパネル１５に追従してタッチパネル１４が液晶パネル１１側に撓むよう変形した場合でも、撓んだタッチパネル１４が液晶パネル１１に干渉し難くなっている。
【００４９】
フレーム１３は、図３及び図４に示すように、液晶パネル１１、タッチパネル１４及びカバーパネル１５の各外周部分に倣う枠状部（フレーム基部、額縁状部）１３ａと、枠状部１３ａの外周端部に連なるとともにタッチパネル１４、カバーパネル１５及びケーシング１６をそれぞれ外周側から取り囲む環状部（筒状部）１３ｂと、枠状部１３ａから裏側に向けて突出してシャーシ２２及び放熱部材２３に取り付けられる取付板部１３ｃとを有してなる。枠状部１３ａは、液晶パネル１１、タッチパネル１４、及びカバーパネル１５の各板面に並行する板面を有する略板状をなすとともに、平面に視て長方形の枠状に形成されている。枠状部１３ａは、内周部分１３ａ１よりも外周部分１３ａ２の方が相対的に板厚が厚くなっており、両者の境界位置に段差（ギャップ）ＧＰが形成されている。枠状部１３ａのうち、内周部分１３ａ１が液晶パネル１１の外周部分とタッチパネル１４の外周部分との間に介在するのに対し、外周部分１３ａ２がカバーパネル１５の外周部分を裏側から受けている。このように、枠状部１３ａは、その表側の板面がほぼ全域にわたってカバーパネル１５によって覆われることになるため、表側の板面が殆ど外部に露出することがないものとされる。これにより、フレーム１３がＬＥＤ１７からの熱などにより温度上昇していても、液晶表示装置１０の使用者がフレーム１３における露出部位に直接接触し難くなるので、安全面で優れる。枠状部１３ａの内周部分１３ａ１における裏側の板面には、図５に示すように、液晶パネル１１の外周部分を緩衝しつつ表側から押さえるための緩衝材２９が固着されているのに対し、内周部分１３ａ１における表側の板面には、タッチパネル１４の外周部分を緩衝しつつ固着するための第１固着部材３０が固着されている。これら緩衝材２９及び第１固着部材３０は、内周部分１３ａ１において平面に視て互いに重畳する位置に配されている。一方、枠状部１３ａの外周部分１３ａ２における表側の板面には、カバーパネル１５の外周部分を緩衝しつつ固着するための第２固着部材３１が固着されている。これら緩衝材２９及び各固着部材３０，３１は、枠状部１３ａのうち四隅の角部を除いた各辺部に沿ってそれぞれ延在する形で配されている。また、各固着部材３０，３１は、例えば基材がクッション性を有する両面テープからなる。
【００５０】
環状部１３ｂは、図３及び図４に示すように、全体として平面に視て長方形の短角筒状をなしており、枠状部１３ａの外周部分１３ａ２の外周縁から表側に向けて突出する第１環状部３４と、枠状部１３ａの外周部分１３ａ２の外周縁から裏側に向けて突出する第２環状部３５とを有してなる。言い換えると、短角筒状をなす環状部１３ｂは、その軸線方向（Ｚ軸方向）についての略中央部における内周面に枠状部１３ａの外周縁が全周にわたって連ねられている。第１環状部３４は、枠状部１３ａに対して表側に配されるタッチパネル１４及びカバーパネル１５の各外周端面を全周にわたって取り囲む形で配されている。第１環状部３４は、その内周面がタッチパネル１４及びカバーパネル１５の各外周端面と対向状をなしているのに対し、外周面が当該液晶表示装置１０の外部に露出していて液晶表示装置１０における側面側の外観を構成している。一方、第２環状部３５は、枠状部１３ａに対して裏側に配されるケーシング１６における表側の端部（取付部１６ｃ）を外周側から取り囲んでいる。第２環状部３５は、その内周面が後述するケーシング１６の取付部１６ｃと対向状をなしているのに対し、外周面が当該液晶表示装置１０の外部に露出していて液晶表示装置１０における側面側の外観を構成している。第２環状部３５における突出先端部には、断面鉤型をなすフレーム側係止爪部３５ａが形成されており、このフレーム側係止爪部３５ａに対してケーシング１６が係止されることで、ケーシング１６を取付状態に保持することが可能とされる。
【００５１】
取付板部１３ｃは、図３及び図４に示すように、枠状部１３ａのうち外周部分１３ａ２から裏側に向けて突出するとともに、枠状部１３ａの各辺部に沿って延在する板状をなしており、その板面が枠状部１３ａの板面とほぼ直交している。取付板部１３ｃは、枠状部１３ａの各辺部毎に個別に配されている。枠状部１３ａのうちＬＥＤ基板１８側の短辺部に配された取付板部１３ｃは、その内側を向いた板面が放熱部材２３の第２放熱部２３ｂにおける外側の板面が接する形で取り付けられている。この取付板部１３ｃは、第２放熱部２３ｂに対してネジ部材ＳＭによってネジ止めされており、ネジ部材ＳＭを挿通するネジ挿通孔１３ｃ１を有している。また、第２放熱部２３ｂには、ネジ部材ＳＭが螺合されるネジ孔３６が形成されている。これにより、第１放熱部２３ａから第２放熱部２３ｂへと伝達されたＬＥＤ１７からの熱は、取付板部１３ｃへと伝達されてからフレーム１３の全体へと伝達されることで、効率的に放熱されるようになっている。また、この取付板部１３ｃは、放熱部材２３を介してシャーシ２２に対して間接的に固定されていると言える。一方、枠状部１３ａのうちＬＥＤ基板１８側とは反対側の短辺部及び一対の長辺部にそれぞれ配された各取付板部１３ｃは、その内側を向いた板面がシャーシ２２の各側板２２ｂにおける外側の板面に接する形でネジ部材ＳＭによってそれぞれネジ止めされている。これらの取付板部１３ｃには、ネジ部材ＳＭを挿通するネジ挿通孔１３ｃ１が形成されているのに対し、各側板２２ｂには、ネジ部材ＳＭが螺合されるネジ孔３６が形成されている。なお、各ネジ部材ＳＭは、各取付板部１３ｃに対してそれぞれの延在方向に沿って複数ずつが間欠的に並ぶ形で取り付けられている。
【００５２】
次に、上記したフレーム１３に組み付けられるタッチパネル１４について説明する。タッチパネル１４は、図１，図３及び図４に示すように、使用者が液晶パネル１１の表示面ＤＳの面内における位置情報を入力するための位置入力装置であり、長方形状をなすとともにほぼ透明で優れた透光性を有するガラス製の基板上に所定のタッチパネルパターン（図示せず）が形成されてなる。詳しくは、タッチパネル１４は、液晶パネル１１と同様に平面に視て長方形状をなすガラス製の基板を有しており、その表側を向いた板面にいわゆる投影型静電容量方式のタッチパネルパターンを構成するタッチパネル用透明電極部（図示せず）が形成されており、基板の面内においてタッチパネル用透明電極部が多数個行列状に並んで配置されている。タッチパネル１４における短辺側の一端部には、タッチパネルパターンを構成するタッチパネル用透明電極部から引き出された配線の端部に接続された端子部（図示せず）が形成されており、この端子部に対して図示しないフレキシブル基板が接続されることで、タッチパネル駆動回路基板からタッチパネルパターンをなすタッチパネル用透明電極部に電位が供給されるようになっている。タッチパネル１４は、図５に示すように、その外周部分における内側の板面が、既述した第１固着部材３０によってフレーム１３の枠状部１３ａにおける内周部分１３ａ１に対して対向した状態で固着されている。
【００５３】
続いて、上記したフレーム１３に組み付けられるカバーパネル１５について説明する。カバーパネル１５は、図１，図３及び図４に示すように、タッチパネル１４を表側からその全域にわたって覆う形で配されており、それによりタッチパネル１４及び液晶パネル１１の保護が図られている。カバーパネル１５は、フレーム１３における枠状部１３ａを表側から全域にわたって覆うとともに、液晶表示装置１０における正面側の外観を構成している。カバーパネル１５は、平面に視て長方形状をなすとともにほぼ透明で優れた透光性を有するガラス製で板状の基材からなり、好ましくは強化ガラスからなる。カバーパネル１５に用いられる強化ガラスとしては、例えば板状のガラス基材の表面に化学強化処理が施されることで、表面に化学強化層を備えた化学強化ガラスを用いることが好ましい。この化学強化処理は、例えばガラス材料に含まれるアルカリ金属イオンを、それよりもイオン半径が大きいアルカリ金属イオンとイオン交換により置換することで、板状のガラス基材の強化を図る処理をいい、その結果形成される化学強化層は圧縮応力が残留した圧縮応力層（イオン交換層）とされる。これにより、カバーパネル１５は、機械的強度及び耐衝撃性能が高いものとされているから、その裏側に配されるタッチパネル１４及び液晶パネル１１が破損したり、傷付くのをより確実に防止することができる。
【００５４】
カバーパネル１５は、図３及び図４に示すように、液晶パネル１１及びタッチパネル１４と同様に平面に視て長方形状をなしており、その平面に視た大きさは液晶パネル１１及びタッチパネル１４よりも一回り大きなものとされる。従って、カバーパネル１５は、液晶パネル１１及びタッチパネル１４における各外周縁から全周にわたって庇状に外側に張り出す張出部分１５ＥＰを有している。この張出部分１５ＥＰは、液晶パネル１１及びタッチパネル１４を取り囲む長方形の略枠状（略額縁状）をなしており、その内側の板面が、図５に示すように、既述した第２固着部材３１によってフレーム１３の枠状部１３ａにおける外周部分１３ａ２に対して対向した状態で固着されている。一方、カバーパネル１５のうちタッチパネル１４と対向状をなす中央部分は、反射防止フィルムＡＲを介してタッチパネル１４に対して表側に積層されている。
【００５５】
カバーパネル１５のうち上記した張出部分１５ＥＰを含む外周部分における内側（裏側）の板面（タッチパネル１４側を向いた板面）には、図３及び図４に示すように、光を遮る板面遮光層（遮光層、板面遮光部）３２が形成されている。板面遮光層３２は、例えば黒色を呈する塗料などの遮光性材料からなるものとされ、その遮光性材料を、カバーパネル１５における内側の板面に印刷することで同板面に一体的に設けられている。なお、板面遮光層３２を設けるに際しては、例えばスクリーン印刷、インクジェット印刷などの印刷手段を採用することができる。板面遮光層３２は、カバーパネル１５のうち張出部分１５ＥＰの全域に加えて、張出部分１５ＥＰよりも内側にあって、タッチパネル１４及び液晶パネル１１の各外周部分と平面に視てそれぞれ重畳する部分にわたる範囲に形成されている。従って、板面遮光層３２は、液晶パネル１１の表示領域を取り囲む形で配されることになるので、表示領域外の光を遮ることができ、もって表示領域に表示される画像に係る表示品位を高いものとすることができる。
【００５６】
続いて、上記したフレーム１３に組み付けられるケーシング１６について説明する。ケーシング１６は、合成樹脂材料または金属材料からなるものであって、図１，図３及び図４に示すように、表側に向けて開口した略椀型（略ボウル型）をなしており、フレーム１３の枠状部１３ａ、取付板部１３ｃ、シャーシ２２、及び放熱部材２３などの部材を裏側から覆うとともに、液晶表示装置１０における背面側の外観を構成している。ケーシング１６は、概ね平坦な底部１６ａと、底部１６ａの外周縁から表側へ向けて立ち上がるとともに断面湾曲形状をなす曲部１６ｂと、曲部１６ｂの外周縁から表側へ向けてほぼ真っ直ぐに立ち上がる取付部１６ｃとからなる。取付部１６ｃには、断面鉤型をなすケーシング側係止爪部１６ｄが形成されており、このケーシング側係止爪部１６ｄがフレーム１３のフレーム側係止爪部３５ａに対して係止されることで、ケーシング１６をフレーム１３に対して取付状態に保持することが可能とされる。
【００５７】
上記のような構成とされるバックライト装置１２に備えられる導光板１９には、図３に示すように、導光板１９内を伝播する光を反射して光出射面１９ａからの出光を促すための出光反射部４１が設けられている。この出光反射部４１により反射された光は、第１方向についてのみ選択的に集光作用が付与されるとともに、光出射面１９ａに対する入射角が臨界角以下となり易くなることで出光が促されるようになっている。この出光反射部４１に関する詳しい構成などについては後に詳しく説明する。
【００５８】
さて、本実施形態に係るバックライト装置１２は、その出射光を第２方向（Ｙ軸方向）について集光させるための構成を備えており、以下においてその理由及び構成について説明する。導光板１９内を伝播する光は、図３及び図５に示すように、その途中で出光反射部４１を構成する単位反射部４１ａにより反射されることで、光出射面１９ａに対する入射角が臨界角以下となって出射されるようになっており、第１方向（Ｘ軸方向）に関しては単位反射部４１ａによって反射されることで正面方向、つまり光出射面１９ａからその法線方向に沿って表側に向かうよう集光が図られている。ところが、出光反射部４１は、第１方向については反射光に集光作用を付与するものの、第２方向については反射光に集光作用を殆ど付与しないため、光出射面１９ａからの出射光に係る輝度に異方性が生じるおそれがある。そこで、本実施形態では次に示す構成によって第２方向についての集光を図るようにしている。すなわち、光学シート２０は、図２に示すように、透過光に第２方向について選択的に集光作用を付与する集光異方性を有する１枚のプリズムシート（出光側異方性集光部）４２から構成されるのに対し、導光板１９の反対板面１９ｃには、出光反射部４１により反射された光に第２方向について選択的に集光作用を付与する集光異方性を有するプリズム部（反対板面側プリズム部）４３が設けられている。
【００５９】
その一方、ＬＥＤ１７は、第２方向、つまり導光板１９の光入射面１９ｂにおける長手方向について複数が間隔を空けて並んで配されているため、各ＬＥＤ１７から光入射面１９ｂに入射された光は、第１方向について光入射面１９ｂの近い側においては混合が不十分となりがちで、光出射面１９ａの出射光には第２方向について輝度ムラが生じ易いものとされる。そこで、本実施形態では次に示す構成によって出射光に生じ得る第２方向についての輝度ムラの緩和を図るようにしている。すなわち、導光板１９の反対板面１９ｃには、図２に示すように、導光板１９内を伝播する光を第２方向について拡散させるよう全反射するプリズム部４３が設けられているのに対し、導光板１９の光出射面１９ａには、導光板１９内を伝播する光を第２方向について拡散させるよう全反射する凹型レンチキュラーレンズ部（レンチキュラーレンズ部、光出射面側レンチキュラーレンズ部）４４が設けられている。続いて、プリズムシート４２、プリズム部４３及び凹型レンチキュラーレンズ部４４について詳しく説明する。
【００６０】
プリズムシート４２は、図２及び図１０に示すように、シート状をなすシート基材４２ｂと、シート基材４２ｂのうち導光板１９からの出射光が入射される入光側板面４２ｂ１とは反対側（出光側）の出光側板面４２ｂ２に形成されるとともに集光異方性を有する出光側単位プリズム（出光側単位集光部）４２ａとから構成される。シート基材４２ｂは、ほぼ透明な合成樹脂製とされ、具体的には例えばＰＥＴなどの熱可塑性樹脂材料からなり、その屈折率は例えば１．６６７程度とされる。出光側単位プリズム４２ａは、シート基材４２ｂにおける表側（出光側）の板面である出光側板面４２ｂ２に一体的に設けられている。出光側単位プリズム４２ａは、光硬化性樹脂材料の一種であるほぼ透明な紫外線硬化性樹脂材料からなり、プリズムシート４２の製造に際しては、例えば未硬化の紫外線硬化性樹脂材料を成形用の型内に充填するとともに、その型の開口端にシート基材４２ｂを宛がうことで、未硬化の紫外線硬化性樹脂材料を出光側板面４２ｂ２に接する形で配し、その状態でシート基材４２ｂを介して紫外線硬化性樹脂材料に対して紫外線を照射することで、紫外線硬化性樹脂材料を硬化させて出光側単位プリズム４２ａをシート基材４２ｂに対して一体的に設けることができる。出光側単位プリズム４２ａをなす紫外線硬化性樹脂材料は、例えばＰＭＭＡなどのアクリル樹脂とされ、その屈折率が例えば１．５９程度とされる。出光側単位プリズム４２ａは、シート基材４２ｂの出光側板面４２ｂ２から第３方向（Ｚ軸方向）に沿って表側（出光側）に向けて突出する形で設けられている。この出光側単位プリズム４２ａは、第２方向（Ｙ軸方向）に沿って切断した断面形状が略三角形（略山形）をなすとともに第１方向（Ｘ軸方向）に沿って直線的に延在しており、出光側板面４２ｂ２において第２方向に沿って多数本が並んで配置されている。出光側単位プリズム４２ａは、その幅寸法（第２方向についての寸法）が第１方向について全長にわたって一定とされる。各出光側単位プリズム４２ａは、断面形状がほぼ二等辺三角形状をなしており、一対の斜面４２ａ１を有するとともにその頂角θｖ１がほぼ直角（９０°）程度とされる。第２方向に沿って並列した多数本の出光側単位プリズム４２ａは、頂角θｖ１、底面４２ａ２の幅寸法及び高さ寸法が全てほぼ同一とされており、隣り合う出光側単位プリズム４２ａ間の配列間隔もほぼ一定で等間隔に配列されている。
【００６１】
このような構成のプリズムシート４２に導光板１９側から光が入射する際には、その光は、図１０に示すように、導光板１９の光出射面１９ａとプリズムシート４２のシート基材４２ｂとの間に有される空気層からシート基材４２ｂの入光側板面４２ｂ１に入射するため、その界面にて入射角に応じて屈折される。シート基材４２ｂを透過した光がシート基材４２ｂの出光側板面４２ｂ２から出光側単位プリズム４２ａに入射する際にもやはり界面にて入射角に応じて屈折される。そして、出光側単位プリズム４２ａを透過した光は、出光側単位プリズム４２ａの斜面４２ａ１に達したとき、その入射角が臨界角を超えていれば全反射されてシート基材４２ｂ側に戻される（再帰反射される）のに対し、入射角が臨界角を超えていなければ界面にて屈折されつつ出射される。出光側単位プリズム４２ａの斜面４２ａ１から出射される光のうち、隣り合う出光側単位プリズム４２ａに向かうものはその出光側単位プリズム４２ａ内に入射してシート基材４２ｂ側に戻される。これにより、出光側単位プリズム４２ａからの出射光は、第２方向について進行方向が正面方向に近くなるよう規制され、もって第２方向について選択的に集光作用が付与されるようになっている。
【００６２】
次に、導光板１９の反対板面１９ｃ側に配されたプリズム部４３について説明する。プリズム部４３は、導光板１９に一体形成されている。プリズム部４３を導光板１９に一体に設けるには、例えば導光板１９を射出成形によって製造し、その成形金型のうち反対板面１９ｃを成形するための成形面に予めプリズム部４３を転写するための転写形状を形成しておけばよい。プリズム部４３は、図２，図７及び図１０に示すように、反対板面１９ｃに、第１方向（Ｘ軸方向）に沿って延在する単位プリズム（反対板面側単位プリズム）４３ａを第２方向（Ｙ軸方向）に沿って多数並ぶ形で配してなる。単位プリズム４３ａは、反対板面１９ｃから第３方向（Ｚ軸方向）に沿って表側（出光側）に向けて突出する形で設けられている。単位プリズム４３ａは、第２方向に沿って切断した断面形状が略三角形（略山形）をなすとともに第１方向に沿って直線的に延在している。単位プリズム４３ａは、その幅寸法（第２方向についての寸法）が第１方向について全長にわたって一定とされる。各単位プリズム４３ａは、断面形状がほぼ二等辺三角形状をなしており、一対の斜面４３ａ１を有するとともにその頂角θｖ２が鈍角（９０°を超える角度）、具体的には１００°〜１５０°の範囲とされるのが好ましく、１４０°程度とされるのが最も好ましい。つまり、単位プリズム４３ａの頂角θｖ２は、出光側単位プリズム４２ａの頂角θｖ１よりも相対的に大きなものとされる。第２方向に沿って並列した多数本の単位プリズム４３ａは、頂角θｖ２、底面の幅寸法及び高さ寸法が全てほぼ同一とされており、隣り合う単位プリズム４３ａ間の配列間隔もほぼ一定で等間隔に配列されている。
【００６３】
このような構成のプリズム部４３は、図１０に示すように、導光板１９内を伝播して反対板面１９ｃに達した光に次のようにして光学作用を付与している。すなわち、反対板面１９ｃに達した光が、単位プリズム４３ａの斜面４３ａ１に対して臨界角以下の入射角で入射した場合には、その光の少なくとも一部は斜面４３ａ１にて屈折されることで第２方向について選択的に集光されつつ出射される。単位プリズム４３ａから出射された光は、反射シート４０の反射面４０ａにて反射された後、再び反対板面１９ｃに達したところで単位プリズム４３ａの斜面４３ａ１に入射し、そこで少なくとも一部の光が屈折されることで第２方向について選択的に集光される。このようにプリズム部４３により集光作用が付与された光は、プリズムシート４２において第２方向について集光され易いものとなっており、それによりプリズムシート４２の出射光に係る正面輝度がより向上されるようになっている。なお、単位プリズム４３ａの斜面４３ａ１にて屈折される光の一部には、上記のような異方性集光作用が付与されないものも存在しており、そのような光は第２方向について拡散されるような光学作用が付与される場合がある。一方、反対板面１９ｃに達した光が、単位プリズム４３ａの斜面４３ａ１に対して臨界角を超える入射角で入射した場合には、斜面４３ａ１にて全反射される。単位プリズム４３ａの斜面４３ａ１にて全反射された光は、第２方向について拡散するよう進行しつつ導光板１９内を伝播されるので、その後出光反射部４１により反射されて光出射面１９ａから出射する光に、第２方向について輝度ムラが生じ難くなる。
【００６４】
続いて、導光板１９の光出射面１９ａ側に配された凹型レンチキュラーレンズ部４４について説明する。凹型レンチキュラーレンズ部４４は、導光板１９に一体形成されている。凹型レンチキュラーレンズ部４４を導光板１９に一体に設けるには、例えば導光板１９を射出成形によって製造し、その成形金型のうち光出射面１９ａを成形するための成形面に予め凹型レンチキュラーレンズ部４４を転写するための転写形状を形成しておけばよい。凹型レンチキュラーレンズ部４４は、図２，図６及び図１０に示すように、光出射面１９ａに、第１方向（Ｘ軸方向）に沿って延在する凹型シリンドリカルレンズ（シリンドリカルレンズ、光出射面側シリンドリカルレンズ）４４ａを第２方向（Ｙ軸方向）に沿って多数並ぶ形で配してなる。凹型シリンドリカルレンズ４４ａは、光出射面１９ａを第３方向（Ｚ軸方向）に沿って裏側に凹ませる形で設けられており、凹型レンズとされる。凹型シリンドリカルレンズ４４ａは、第２方向に沿って切断した断面形状が半円形状をなし且つ第１方向に沿って延在する溝状をなしており、その表面が凹型の円弧状面４４ａ１とされる。凹型シリンドリカルレンズ４４ａは、その円弧状面４４ａ１の基端部４４ａ２での接線Ｔａが第２方向に対してなす角度θｔを「接線角」としたとき、その接線角θｔが例えば７０°程度とされる。なお、凹型レンチキュラーレンズ部４４の詳しい構成について後に改めて説明する。
【００６５】
このような構成の凹型シリンドリカルレンズ４４ａは、図１０に示すように、導光板１９内を伝播して光出射面１９ａに達した光に次のように光学作用を付与するものとされる。すなわち、光出射面１９ａに達した光が、凹型シリンドリカルレンズ４４ａにおける円弧状面４４ａ１に対して臨界角を超える入射角で入射した場合には、円弧状面４４ａ１にて全反射されることで、第２方向について拡散するよう進行しつつ導光板１９内を伝播される。ここで、凹型シリンドリカルレンズ４４ａは、例えば凸型のシリンドリカルレンズに比べると、円弧状面４４ａ１に対する光の入射角が臨界角を超える確率が高いものとなっているので、光を全反射し易いものとされており、もって光を第２方向についてより好適に拡散させることができる。また、円弧状面４４ａ１の円弧状面４４ａ１にて全反射された光は、単位プリズム４３ａの斜面４３ａ１にて全反射された光に比べると、第２方向についてより広範囲に拡散するものとされる。これにより、その後に出光反射部４１により反射されて光出射面１９ａから出射する光に、第２方向について輝度ムラがより生じ難くなる。一方、光出射面１９ａに達した光が、凹型シリンドリカルレンズ４４ａの円弧状面４４ａ１に対して臨界角以下の入射角で入射した場合には、その光の少なくとも一部は円弧状面４４ａ１にて屈折されることで第２方向について選択的に集光作用が付与されつつプリズムシート４２へ向けて出射される。なお、凹型シリンドリカルレンズ４４ａによって異方性集光作用が付与された光は、プリズムシート４２においては第２方向について集光され難く、むしろ第２方向について拡散され易いものとなっているため、プリズムシート４２の出射光に係る輝度ムラを改善させるものの、正面輝度の向上に寄与することがないものとされる。
【００６６】
以上のように、ＬＥＤ１７から発せられて導光板１９の光入射面１９ｂに入射した光は、図９及び図１０に示すように、第１方向について反対端面１９ｄ側に向かって進行する形で導光板１９内を伝播する過程で、反対板面１９ｃに配されたプリズム部４３、及び光出射面１９ａに配された凹型レンチキュラーレンズ部４４によって全反射されることで、第２方向について広範囲に拡散される。これにより、導光板１９内を伝播する光は、ＬＥＤ１７の並び方向である第２方向について好適に混合されるので、その後に光出射面１９ａから出射される出射光に第２方向について輝度ムラが生じ難いものとなる。一方、導光板１９内を伝播する過程で出光反射部４１により反射された光に関しては、少なくともその一部は、プリズム部４３と凹型レンチキュラーレンズ部４４とのいずれか一方または両方によって第２方向について選択的に集光作用が付与された上で光出射面１９ａから出射される。このとき、凹型レンチキュラーレンズ部４４によって異方性集光作用が付与された光に関しては、プリズムシート４２においては第２方向について集光され難くなる可能性があるものの、凹型レンチキュラーレンズ部４４によって異方性集光作用が付与されずにプリズム部４３によって異方性集光作用が付与された光に関しては、プリズムシート４２においては第２方向について集光され易くなっているので、プリズムシート４２の出射光に係る正面輝度が向上されるようになっている。
【００６７】
ところで、プリズムシート４２は、図１０に示すように、既述した通り、出光側単位プリズム４２ａの頂角θｖ１が、単位プリズム４３ａの頂角θｖ２よりも小さいので、プリズム部４３に比べるとより多くの光を再帰反射させるとともに出射光の出射角度範囲をより狭く規制しており、最も強い集光作用を有している。これに対し、プリズムシート４２に供給される光には、導光板１９の反対板面１９ｃにおいてプリズム部４３により異方性集光作用が付与されたものが含まれているから、プリズムシート４２をなす出光側単位プリズム４２ａにおいて再帰反射される割合が低くなっており、それにより出光側単位プリズム４２ａから効率的に出射されるようになっている。これにより、光の利用効率がより高いものとなっていて、バックライト装置１２の出射光に係る輝度の向上に好適となる。
【００６８】
ここで、プリズムシート４２に対して供給される光が、どのように角度付けされていればプリズムシート４２の出射光における正面輝度の向上に寄与するのかに関して知見を得るべく、以下のように検証を行った。すなわち、プリズムシート４２のシート基材４２ｂにおける入光側板面４２ｂ１に対して入射する光の入射角と、出光側単位プリズム４２ａの斜面４２ａ１から出射する光の出射角との関係についてスネルの法則に基づいて計算し、その結果を図１３に示す。具体的な計算方法としては、まず入光側板面４２ｂ１に対する光の入射角から入光側板面４２ｂ１からの光の出射角が求められ、次に入光側板面４２ｂ１からの光の出射角が、出光側板面４２ｂ２、及び出光側単位プリズム４２ａの底面４２ａ２に対する光の入射角と等しくなることから、出光側板面４２ｂ２、及び出光側単位プリズム４２ａの底面４２ａ２からの光の出射角が求められる（図１０を参照）。そして、出光側板面４２ｂ２、及び出光側単位プリズム４２ａの底面４２ａ２からの光の出射角は、出光側単位プリズム４２ａの斜面４２ａ１に対する光の入射角と等しくなることから、出光側単位プリズム４２ａの斜面４２ａ１からの光の出射角が求められる（図１０を参照）。なお、シート基材４２ｂ及び出光側単位プリズム４２ａの各屈折率、及び出光側単位プリズム４２ａの頂角θｖ１は、既述した通りであり、また外部の空気層の屈折率については「１．０」として計算を行っている。図１３では、縦軸をシート基材４２ｂの入光側板面４２ｂ１に対する光の入射角（単位は「°」）とし、横軸を出光側単位プリズム４２ａの斜面４２ａ１からの光の出射角（単位は「°」）としており、出射角０°が正面方向に平行な光の出射角である。図１３によれば、出光側単位プリズム４２ａの斜面４２ａ１からの光の出射角を、例えば±１０°の範囲とするには、シート基材４２ｂの入光側板面４２ｂ１に対する光の入射角を２３°〜４０°の範囲とすればよいことが分かる。つまり、プリズムシート４２に対して供給される光、つまり導光板１９の光出射面１９ａから出射される光は、その出射角が２３°〜４０°の範囲とされていれば、プリズムシート４２の出光側単位プリズム４２ａからの出射光が、正面方向に対して±１０°の範囲となる出射角でもって出射されるようになっており、出射光に係る正面輝度の向上を図る上で有用とされる。本実施形態においては、導光板１９のプリズム部４３によって異方性集光作用が付与された光には、光出射面１９ａから出射する際の出射角が２３°〜４０°の範囲となるものが多く含まれる傾向にあるものの、凹型レンチキュラーレンズ部４４によって異方性集光作用が付与された光には、光出射面１９ａから出射する際の出射角が２３°〜４０°の範囲外となるものが多く含まれる傾向にあるものとされる。
【００６９】
ところで、従来では導光板の光出射面に突条を設け、その突条によって出射光の正面輝度の向上を図るようにしているものの、その反面、輝度ムラが発生し易くなるという問題があった。すなわち、上記した従来では、複数の点状光源が導光板の光入射面の長手方向に沿って間隔を空けて並んで配されていることから、導光板のうち光入射面の近くでは、光出射面からの出射光に点状光源の並び方向について明部と暗部とが並ぶ形で輝度ムラが発現し易い傾向にある。これに対し、上記した突条によれば上記した明部の輝度がより高められてしまうため、光入射面の近くにおいて輝度ムラがより発生し易いものとなっていた。ここで、例えば突条に代えてシリンドリカルレンズを設けるようにすれば、上記のような輝度ムラに関しては緩和されるものの、シリンドリカルレンズではプリズムシートでの集光に寄与しない光を多く生じさせるために正面輝度が低下するという問題が新たに生じてしまうおそれがある。
【００７０】
そこで、本実施形態に係る導光板１９は、図７，図１０から図１２に示すように、光出射面１９ａに凹型レンチキュラーレンズ部４４に加えて平坦状部４５が設けられるとともにこれらにおける第２方向についての占有比率が第１方向についての位置に応じて変化する構成とされているところに特徴を有している。詳しくは、凹型レンチキュラーレンズ部４４は、第１方向について光入射面１９ｂに近い側（反対端面１９ｄから遠い側）では凹型シリンドリカルレンズ４４ａにおける幅寸法（第２方向についての寸法）、つまり第２方向についての占有比率が相対的に高いものの、光入射面１９ｂから遠い側（反対端面１９ｄに近い側）では凹型シリンドリカルレンズ４４ａにおける第２方向についての占有比率が相対的に低くなるよう構成されている。平坦状部４５は、第１方向（Ｘ軸方向）及び第２方向（Ｙ軸方向）に沿って平坦な形状とされており、導光板１９の光出射面１９ａのうち凹型レンチキュラーレンズ部４４の非形成領域に配されている。平坦状部４５は、凹型レンチキュラーレンズ部４４を構成する凹型シリンドリカルレンズ４４ａに対して第２方向について隣り合う形で複数が配されている。つまり、導光板１９の光出射面１９ａには、凹型シリンドリカルレンズ４４ａと平坦状部４５とが第２方向について交互に並ぶ形で配されている。そして、平坦状部４５は、第１方向について光入射面１９ｂに近い側（反対端面１９ｄから遠い側）では幅寸法、つまり第２方向についての占有比率が相対的に低いものの、光入射面１９ｂから遠い側（反対端面１９ｄに近い側）では第２方向についての占有比率が相対的に高くなるものとされている。
【００７１】
より詳しくは、凹型シリンドリカルレンズ４４ａは、図７，図１０から図１２に示すように、その幅寸法、つまり光出射面１９ａにおける第２方向についての占有比率が、第１方向についての光入射面１９ｂから遠ざかって反対端面１９ｄに近づくのに従って連続的に漸次減少し、逆に第１方向について反対端面１９ｄから遠ざかって光入射面１９ｂに近づくのに従って連続的に漸次増加している。凹型シリンドリカルレンズ４４ａは、導光板１９における第１方向についての光入射面１９ｂ側の端部（端位置）では上記占有比率が最大で例えば７０％〜９０％程度とされるのに対し、反対端面１９ｄ側の端部では上記占有比率が最小で例えば１０％〜３０％程度とされ、また第１方向についての中央部では上記占有比率が例えば５０％程度とされる。さらには、凹型シリンドリカルレンズ４４ａは、その高さ寸法（第３方向についての寸法）が第１方向についての位置に応じて変化するよう形成されている。詳しくは、凹型シリンドリカルレンズ４４ａは、その高さ寸法、つまり光出射面１９ａからの凹み深さが、第１方向についての光入射面１９ｂから遠ざかって反対端面１９ｄに近づくのに従って連続的に漸次減少し、逆に第１方向について反対端面１９ｄから遠ざかって光入射面１９ｂに近づくのに従って連続的に漸次増加している。つまり、凹型シリンドリカルレンズ４４ａの高さ寸法は、第１方向についての位置に応じて幅寸法と同様に変化するものとされる。従って、凹型シリンドリカルレンズ４４ａは、その表面積（円弧状面４４ａ１の面積）に関しても、第１方向についての位置に応じて幅寸法及び高さ寸法と同様に変化するものとされる。また、凹型シリンドリカルレンズ４４ａは、第１方向について光入射面１９ｂから遠ざかって反対端面１９ｄに近づくと上り勾配となり、逆に反対端面１９ｄから遠ざかって光入射面１９ｂに近づくと下り勾配となるよう、光入射面１９ｂ側（ＬＥＤ１７側）に向かって前傾した傾斜状をなしている。一方、平坦状部４５は、その幅寸法、つまり光出射面１９ａにおける第２方向についての占有比率が、第１方向についての光入射面１９ｂに近づいて反対端面１９ｄから遠ざかるのに従って連続的に漸次減少し、逆に第１方向について反対端面１９ｄに近づいて光入射面１９ｂから遠ざかるのに従って連続的に漸次増加している。平坦状部４５は、導光板１９における第１方向についての光入射面１９ｂ側の端部（端位置）では上記占有比率が最小で例えば１０％〜３０％程度とされるのに対し、反対端面１９ｄ側の端部では上記占有比率が最大で例えば７０％〜９０％程度とされ、また第１方向についての中央部では上記占有比率が例えば５０％程度とされる。このように光出射面１９ａにおける第１方向についての中央部では、凹型シリンドリカルレンズ４４ａにおける第２方向についての占有比率と、平坦状部４５における同占有比率と、が互いにほぼ等しくなっている。
【００７２】
既述した通り、凹型レンチキュラーレンズ部４４は、出光反射部４１による反射光に対して異方性集光作用を付与するものの、その異方性集光作用を付与された光は、プリズムシート４２においては第２方向について集光され難く、むしろ第２方向について拡散され易くなっている。一方、第２方向について凹型シリンドリカルレンズ４４ａに対して隣り合う形で配される平坦状部４５は、出光反射部４１による反射光に対して特定の光学作用を付与することが殆どないものとされるので、平坦状部４５を介してプリズムシート４２へと出射された光は、プリズム部４３により付与された異方性集光作用が支配的に付与されたものとなり、それによりプリズムシート４２では第２方向について集光作用が付与され易くなっている。従って、凹型レンチキュラーレンズ部４４の凹型シリンドリカルレンズ４４ａにおける第２方向についての占有比率が高く且つ平坦状部４５における第２方向についての占有比率が低くなるほど、プリズムシート４２の出射光においては第２方向について輝度ムラが緩和され易くなるものの輝度が低下し易くなる傾向とされるのに対し、平坦状部４５における第２方向についての占有比率が高くなり且つ凹型シリンドリカルレンズ４４ａにおける第２方向についての占有比率が低くなるほど、プリズムシート４２の出射光においては第２方向について輝度ムラが緩和され難くなるものの輝度が向上し易くなる傾向とされる。
【００７３】
そして、上記したように凹型レンチキュラーレンズ部４４及び平坦状部４５は、第１方向について光入射面１９ｂに近い側では凹型シリンドリカルレンズ４４ａにおける第２方向についての占有比率が相対的に高く且つ平坦状部４５における第２方向についての占有比率が相対的に低くなるのに対し、第１方向について光入射面１９ｂから遠い側（反対端面１９ｄに近い側）では凹型シリンドリカルレンズ４４ａにおける第２方向についての占有比率が相対的に低く且つ平坦状部４５における第２方向についての占有比率が相対的に高くなるよう設けられているから、光入射面１９ｂに沿って複数が並ぶ配置とされたＬＥＤ１７に起因する輝度ムラの発生が懸念される第１方向について光入射面１９ｂに近い側においては、相対的に高い占有比率とされた凹型レンチキュラーレンズ部４４の凹型シリンドリカルレンズ４４ａによりプリズムシート４２の出射光に第２方向について輝度ムラが生じ難くされるのに対し、本来的にＬＥＤ１７に起因する輝度ムラが発生し難いものとされる第１方向について光入射面１９ｂから遠い側においては、相対的に高い占有比率とされた平坦状部４５によりプリズムシート４２の出射光に係る輝度がより高いものとされる。以上により、プリズムシート４２の出射光に関して輝度ムラが緩和されるのに加えて輝度の向上が図られる。
【００７４】
次に、光出射面の全域を平坦状部にした導光板において、反対板面側に配したプリズム部を構成する単位プリズムの頂角を変化させた場合に輝度がどのように変化するかに関して知見を得るべく比較実験１を行った。この比較実験１では、光出射面の全域に平坦状部を設けるとともに反対板面に出光反射部及びプリズム部を設けるようにした導光板を用い、そのプリズム部を構成する単位プリズムの頂角を、９０°〜１６０°の範囲で変化させたとき、当該頂角の変化に伴って、導光板の光出射面から出射した光を、当該導光板の出光側に積層配置したプリズムシートに透過させて得られる出射光の輝度がどのように変化するかを測定し、その結果を図１４に示す。この比較実験１で用いる導光板は、光出射面の全域が平坦状部とされる点を除いては、本段落以前に説明したものと同一である。また、比較実験１で用いるプリズムシートは、本段落以前に説明したものと同一である。図１４において、横軸は、単位プリズムの頂角（単位は「°」）であり、縦軸は、プリズムシートの出射光に係る相対輝度（単位は「％」）である。図１４の縦軸に示される出射光に係る相対輝度は、光出射面の全域に、幅寸法が全長にわたって一定とされた複数の凹型シリンドリカルレンズからなる凹型レンチキュラーレンズ部を設けるとともに、反対板面に設けたプリズム部を構成する単位プリズムの頂角を１００°とした導光板（以下、比較例２の導光板と言う）からの出射光をプリズムシートに透過させて得られる輝度値を基準（１００％）とした相対値である。なお、比較実験１において用いた導光板において、特に単位プリズムの頂角を１００°とした導光板を比較例１とする。
【００７５】
比較実験１の実験結果について説明する。図１４からは、比較実験１にて用いた導光板における単位プリズムの頂角が９０°〜１００°の範囲とされるか、１２０°〜１６０°の範囲とされていれば、比較例２の導光板との比較において相対輝度が少なくとも５％以上高くなることが分かる。中でも、単位プリズムの頂角が９０°〜１００°の範囲とされるか、１３３°〜１４０°の範囲とされていれば、比較例２の導光板との比較において相対輝度が少なくとも１０％以上高くなる。そして、単位プリズムの頂角が１００°とされていれば、最も高輝度となっていて比較例２の導光板との比較において相対輝度が１８％程度高くなる。この比較実験１のように、導光板の光出射面の全域に平坦状部を配すると、平坦状部では光に特定の光学作用を付与することがないため、導光板の出射光に付与される光学作用としてはプリズム部による異方性集光作用が支配的となっている。従って、プリズム部を構成する単位プリズムの頂角は、９０°〜１００°の範囲、または１２０°〜１６０°の範囲とされるのが好ましく、このうちの１２０°〜１６０°の範囲においては１３３°〜１４０°の範囲とされるのがより好ましい。そして、プリズム部を構成する単位プリズムの頂角は、１００°とされるのが最も好ましい。この傾向は、導光板１９の光出射面１９ａに、第１方向についての位置に応じて幅寸法が変化する凹型レンチキュラーレンズ部４４及び平坦状部４５を設けるようにした場合でも同様とされる。
【００７６】
続いて、光出射面の全域を平坦状部にした導光板と、光出射面の全域をレンチキュラーレンズ部にした導光板と、で輝度分布がどのように異なるかに関して知見を得るべく比較実験２を行った。この比較実験２では、光出射面の全域に平坦状部を設けるとともに反対板面に出光反射部及びプリズム部を設けるようにし且つ単位プリズムの頂角を１００°とした導光板を用いた場合を比較例１とし、光出射面の全域に、幅寸法が第１方向について全長にわたって一定とされた複数の凹型シリンドリカルレンズからなる凹型レンチキュラーレンズ部を設けるとともに、反対板面に設けたプリズム部を構成する単位プリズムの頂角を１００°とした導光板を用いた場合を比較例２とし、これら比較例１，２に係る各導光板の出射光をプリズムシートに透過させて得られる出射光に関して、輝度分布を測定してその結果を図１５に示す。図１５では、縦軸をプリズムシートからの出射光の相対輝度（無単位）とし、横軸を第２方向についての正面方向に対する角度（単位は「°」）としている。図１５における縦軸の相対輝度は、比較例１，２に係る各導光板のそれぞれにおいて、正面方向（角度が０°）についての輝度値を基準（１．０）とした相対値である。なお、図１５では、実線で示されるグラフが比較例１を、破線で示されるグラフが比較例２を、それぞれ表している。また、比較実験２で用いるプリズムシートは、本段落以前に説明したものと同一である。
【００７７】
比較実験２の実験結果について説明する。図１５によれば、比較例１は、比較例２に比べて、プリズムシートの出射光に係る第２方向についての正面輝度がより高いものとされている。詳しくは、比較例１に係る導光板からの出射光をプリズムシートに透過させて得た出射光には、比較例２に係る導光板からの出射光をプリズムシートに透過させて得た出射光に比べると、正面方向に対して進行方向が±５°の角度範囲となるものの光量が相対的に多く含まれているのに対し、正面方向に対して進行方向が±５°〜±４０°の角度範囲となるものが相対的に少なく含まれていることが分かる。つまり、比較例１に係る導光板からの出射光をプリズムシートに透過させて得た出射光は、比較例２に比べて正面方向への集光度合いが高いものとされている。これにより、比較実験１に係る図１４に示される通り、光出射面の全域が平坦状部とされるとともに単位プリズムの頂角が１００°とされた比較例１は、光出射面の全域が凹型レンチキュラーレンズ部とされるとともに単位プリズムの頂角が１００°とされた比較例２に比べて、１８％程度の相対輝度向上効果が得られる。
【００７８】
次に、光出射面の全域を平坦状部にした導光板と、光出射面の全域を凹型レンチキュラーレンズ部とした導光板と、光出射面１９ａに凹型レンチキュラーレンズ部４４及び平坦状部４５を混在させた導光板１９と、で光出射面からの出射光に輝度ムラが生じるか否かに関して知見を得るべく比較実験３を行った。この比較実験３では、上記した比較実験２にて説明した比較例１，２に係る導光板をそれぞれ用いるとともに、光出射面１９ａに第１方向についての位置に応じて第２方向についての占有比率が変化する凹型レンチキュラーレンズ部４４及び平坦状部４５を設けるとともに反対板面１９ｃに出光反射部４１及びプリズム部４３を設けるようにした導光板１９を実施例１として用いるようにしている。実施例１に係る導光板１９には、第１方向について光入射面１９ｂに近い側では凹型レンチキュラーレンズ部４４を構成する凹型シリンドリカルレンズ４４ａにおける第２方向についての占有比率が相対的に高く且つ平坦状部４５における第２方向についての占有比率が相対的に低くなるのに対し、第１方向について光入射面１９ｂから遠い側では凹型シリンドリカルレンズ４４ａにおける第２方向についての占有比率が相対的に低く且つ平坦状部４５における第２方向についての占有比率が相対的に高くなるよう設けられており、その詳しい構成は比較実験１以前の段落において説明したものと同一である。また、実施例１に係る導光板１９の反対板面１９ｃに配されたプリズム部４３を構成する単位プリズム４３ａの頂角θｖ２は、１００°とされる。そして、比較実験３では、比較例１，２及び実施例１に係る各導光板を用いた各バックライト装置において、ＬＥＤからの光を導光板の光入射面に入射させるとともに光出射面から光を出射させた状態で光出射面側から写真を撮影してその写真に基づいて輝度ムラの有無を判定するようにしており、その実験結果を図１６の表に示した。なお、ここで用いるバックライト装置は、比較例１，２及び実施例１に係る各導光板を除いては比較実験１以前の段落にて説明したものと同一である。図１６には、比較例１，２及び実施例１に係る各導光板の光出射面から光を出射させた状態で光出射面側から撮影した写真と、その写真に基づく輝度ムラの判定結果と、が記載されている。なお、図１６に示す写真は、導光板の光出射面のうち、特に光入射面側の部分を撮影したものであり、同図下側にＬＥＤが配される配置となっている。
【００７９】
比較実験３の実験結果について説明する。図１６によれば、比較例１に係る導光板では、輝度ムラが視認されるのに対し、比較例２及び実施例１に係る導光板では、輝度ムラが殆ど視認されなくなっている。詳しくは、比較例１に係る導光板は、光出射面の全域が平坦状部とされていて凹型レンチキュラーレンズ部が全く設けられていない構成であるため、導光板内を伝播する光における第２方向についての拡散度合いが低くなっており、それに起因して光出射面からの出射光には、第２方向（ＬＥＤの並び方向）について明部と暗部とが交互に並ぶ形で輝度ムラが生じている。これに比べると、比較例２及び実施例１に係る導光板は、いずれも光出射面に凹型レンチキュラーレンズ部が設けられた構成であるから、この凹型レンチキュラーレンズ部によって導光板内を伝播する光が第２方向について良好に拡散され、もって光出射面からの出射光に第２方向についての輝度ムラが生じ難くなっている。ここで、比較例２と実施例１とを比較すると、輝度ムラの程度に殆ど差がないことが分かる。実施例１は、比較例２に比べると、光出射面１９ａにおける凹型レンチキュラーレンズ部４４の占有面積については低くなっているものの、ＬＥＤ１７の配置（光入射面１９ｂに沿って複数のＬＥＤ１７が間欠的に並ぶ配置）に起因する輝度ムラの発生が懸念される光入射面１９ｂの近くでは凹型レンチキュラーレンズ部４４を構成する凹型シリンドリカルレンズ４４ａにおける幅寸法、つまり第２方向についての占有比率が十分に高くなっているので、第１方向について光入射面１９ｂの近くにおいて導光板１９内を伝播する光を凹型レンチキュラーレンズ部４４によって第２方向に拡散する作用が十分に得られ、もって第２方向についての輝度ムラを比較例２と同等に緩和することができるのである。
【００８０】
続いて、光出射面の全域に、幅寸法が全長にわたって一定とされた複数の凹型シリンドリカルレンズからなる凹型レンチキュラーレンズ部を設けた場合と、光出射面１９ａに第１方向についての位置に応じて第２方向についての占有比率が変化する凹型レンチキュラーレンズ部４４及び平坦状部４５を設けた場合と、で輝度分布がどのように異なるかに関して知見を得るため、比較実験４を行った。比較実験４では、上記した比較実験２にて説明した比較例２に係る導光板と、上記した比較実験３にて説明した実施例１に係る導光板１９と、をそれぞれ用いるようにし、これら比較例２及び実施例１に係る各導光板の出射光をプリズムシートに透過させて得られる出射光に関して、輝度分布を測定してその結果を図１７から図１９に示す。この輝度分布の測定は、比較例２及び実施例１に係る各導光板のうち、第１方向について、光入射面寄りの位置と、中央位置と、反対端面寄りの位置と、の３箇所にて行うものとし、光入射面寄りの位置での測定結果を図１７に、中央位置での測定結果を図１８に、反対端面寄りの位置での測定結果を図１９に、それぞれ示している。図１７から図１９では、縦軸をプリズムシートからの出射光の相対輝度（無単位）とし、横軸を第２方向についての正面方向に対する角度（単位は「°」）としている。図１７から図１９における縦軸の相対輝度は、比較例２及び実施例１に係る各導光板のそれぞれにおいて、正面方向（角度が０°）についての輝度値を基準（１．０）とした相対値である。なお、図１７から図１９では、破線で示されるグラフが比較例２を、実線で示されるグラフが実施例１を、それぞれ表している。また、比較実験４で用いるプリズムシートは、本段落以前に説明したものと同一である。
【００８１】
比較実験４の実験結果について説明する。図１７から図１９によれば、実施例１に係る導光板１９は、比較例１に係る導光板に比べると、第１方向についてのいずれの位置においても正面輝度が相対的に高いものとされていることが分かる。そして、図１７と図１８とを比較すると、第１方向について光入射面寄りの位置よりも、第１方向について中央位置での方が、実施例１に係る正面輝度がより高くなっているのが分かる。さらには、図１８と図１９とを比較すると、第１方向について中央位置よりも、第１方向について反対端面寄りの位置での方が、実施例１に係る正面輝度がより高くなっているのが分かる。つまり、実施例１に係る導光板１９においては、光入射面１９ｂから遠ざかって反対端面１９ｄの近づくほど、正面輝度が向上しており、これは凹型シリンドリカルレンズ４４ａの幅寸法の変化に反比例する傾向であると言える。詳しくは、凹型シリンドリカルレンズ４４ａの幅寸法（第２方向についての占有比率）は、第１方向について光入射面１９ｂ側の端位置にて最大となり、反対端面１９ｄ側の端位置にて最小となっていることから、同幅寸法が減少するほど導光板１９の出射光をプリズムシート４２に透過させて得た出射光に係る正面輝度が向上する傾向とされている。そして、幅寸法が上記のように変化する凹型シリンドリカルレンズ４４ａは、第１方向についての光入射面１９ｂ側において幅寸法が大きくされることで、第２方向についての輝度ムラの発生を好適に抑制することができるとともに、そのような輝度ムラが本来的に生じ難い第１方向についての中央位置や反対端面１９ｄ側においては幅寸法が小さくされることで、プリズムシート４２の出射光に係る正面輝度を向上させることができるのである。そして、実施例１に係る導光板１９からの出射光をプリズムシート４２に透過させて得た出射光に係る輝度値を測定したところ、比較例２に係る導光板を用いた場合との比較において、９％程度向上することが分かった。
【００８２】
ここで、導光板１９の反対板面１９ｃに配された出光反射部４１とプリズム部４３との関係について詳しく説明する。出光反射部４１をなす単位反射部４１ａは、図７及び図１０に示すように、プリズム部４３をなす単位プリズム４３ａのうちの頂部４３ａ２側を部分的に切り欠いて形成されている。このため、単位プリズム４３ａのうちの頂部４３ａ２側とは反対側の底部側部分には、単位反射部４１ａが切欠形成されず、単位反射部４１ａの非形成部位とされている。この単位反射部４１ａにおける高さ寸法（第３方向について寸法）は、単位プリズム４３ａにおける高さ寸法よりも小さなものとされている。このような構成により、単位反射部４１ａは、図７に示すように、第２方向に沿って延在しているものの、第２方向について導光板１９の全長にわたって連続した構成とはなっておらず、複数回途中で途切れている。つまり、単位反射部４１ａは、第２方向について間隔を空けて断続的に並ぶ複数の分割単位反射部４１ａＳから構成されている、と言える。しかも、単位反射部４１ａは、単位プリズム４３ａのうちの頂部４３ａ２側を部分的に切り欠くことで第２方向に沿って側方に開口する形態に形成されている。この単位反射部４１ａをなす分割単位反射部４１ａＳの数は、プリズム部４３をなす単位プリズム４３ａの総数と一致している。また、単位反射部４１ａは、第２方向についての中央位置が、単位プリズム４３ａの頂部４３ａ２における第２方向についての配置とほぼ一致している。その上で、第１方向について並んだ各単位反射部４１ａは、第１方向について光入射面１９ｂ（ＬＥＤ１７）から遠ざかるほど高さ寸法（深さ寸法）が次第に大きくなっているので（図３を参照）、第１方向について光入射面１９ｂから遠ざかるほど幅寸法（第２方向についての形成範囲）が次第に大きくなっている。従って、第１方向について光入射面１９ｂ側に配された単位反射部４１ａは、図８に示すように、幅寸法が相対的に小さくなるとともにその表面積が相対的に小さいのに対し、第１方向について反対端面１９ｄ側に配された単位反射部４１ａは、幅寸法が相対的に大きくなるとともにその表面積が相対的に大きくなっている。
【００８３】
上記した単位反射部４１ａは、その表面積の大きさに反射光量が比例する傾向にあることから、必要な反射光量を得るには表面積の大きさをそれに応じた値としなければならない。これは、出光反射部４１に関しても同様であり、出光反射部４１による必要な反射光量を得るには、出光反射部４１全体の表面積（各単位反射部４１ａの表面積を足した総面積）の大きさもそれに応じた値とする必要がある。ここで、仮に単位反射部を第２方向について導光板１９の全長にわたって延在する形で形成した場合には、単位反射部の表面積を上記値とするには、単位反射部における第３方向についての寸法を一定以上に大きくすることができない。これに比べて、単位反射部４１ａを、第２方向について間隔を空けて断続的に並ぶ複数の分割単位反射部４１ａＳから構成すれば、単位反射部４１ａの表面積を上記値とするに際して、単位反射部４１ａにおける第３方向についての寸法を相対的に大きくすることができる。従って、導光板１９を樹脂成形により製造し、その反対板面１９ｃに出光反射部４１を一体成形する際に、反対板面１９ｃにおいて単位反射部４１ａをなす分割単位反射部４１ａＳが設計通りの形状でもって形成され易くなる。これにより、出光反射部４１の光学性能を適切に発揮させることができる。なお、仮に単位反射部を第２方向について導光板１９の全長にわたって延在する形で形成した場合には、第１方向について並ぶ単位反射部の数を削減することで、各単位反射部の表面積を足した総面積を調整することが可能ではあるものの、そうすると第１方向について並ぶ単位反射部の配列間隔が大きくなるため、輝度ムラが生じることが懸念される。その点、単位反射部４１ａを、第２方向について間隔を空けて断続的に並ぶ複数の分割単位反射部４１ａＳから構成すれば、第１方向について並ぶ単位反射部４１ａの数及び配列間隔を変更する必要がないから、バックライト装置１２の出射光に輝度ムラが生じ難いものとされる。しかも、単位反射部４１ａは、単位プリズム４３ａのうちの頂部４３ａ２側を部分的に切り欠くことで第２方向に沿って開口する形態となるよう形成されているので、プリズム部４３による集光性能が良好に発揮される。詳しくは、仮に単位反射部が第２方向に沿って開口せずに第１方向に沿う側面を有する形態とされた場合には、その第１方向に沿う側面によって光が屈折または反射されることで、プリズム部による集光性能が劣化することが懸念される。その点、単位反射部４１ａは、単位プリズム４３ａのうちの頂部４３ａ２側を部分的に切り欠くことで第２方向に沿って開口する形態とされているので、プリズム部４３による集光性能が良好に発揮され、それによりバックライト装置１２の出射光に係る輝度をより高めることができるのである。
【００８４】
次に、プリズム部４３の有無によって出光反射部４１をなす単位反射部４１ａの形状再現性にどのような変化が生じるのかに関して知見を得るべく比較実験５を行った。この比較実験５では、反対板面１９ｃに出光反射部４１及びプリズム部４３が設けられた導光板１９を実施例１とし、反対板面に出光反射部が設けられているもののプリズム部が設けられていない導光板を比較例３としている。この比較実験５における実施例１に係る導光板１９は、上記した比較実験３の実施例１に係る導光板１９と同一のものである。比較実験５における比較例３に係る導光板は、プリズム部を有さない点を除いては、実施例１に係る導光板１９と同様の構造を有する。このため、比較例３に係る導光板に設けられた単位反射部は、第２方向（Ｙ軸方向）について導光板の全長にわたって連続的に（途中で途切れることなく）延在する形で設けられるとともにその第１方向（Ｘ軸方向）についての設置数が、実施例１に係る導光板１９に設けられた単位反射部４１ａの同設置数と同一とされる。そして、この比較実験５では、比較例３に係る導光板と、実施例１に係る導光板１９とに関して、第１方向についての位置に応じた出光反射部をなす単位反射部の高さ寸法を測定し、その結果を図２０に示す。その上で、この比較実験５では、比較例３及び実施例１に係る各導光板を第１方向について概ね六等分したときに生じる区分位置を、光入射面に近い側から順に第１位置、第２位置、第３位置、第４位置、及び第５位置とし、各位置における単位反射部４１ａの形状再現性の良否を判定し、その結果を図２１に示す。図２０では、縦軸を単位反射部の高さ寸法（単位は「μｍ」）とし、横軸を各導光板における第１方向についての位置としている。図２０における横軸の第１方向についての位置は、図２０における左端が各導光板の光入射面に係る位置を示し、同図右端が各導光板の反対端面に係る位置を示している。図２１では、第１位置から第５位置における単位反射部の高さ寸法と、単位反射部の形状再現性に係る判定結果とを示している。この単位反射部の形状再現性は、光学シミュレーションで得られた導光板の出射光に係る配光分布（理論値）と、実際に樹脂成形した導光板の出射光に係る配光分布（実測値）との間にどの程度の乖離があるかに基づいて判定しており、上記乖離が許容し得る基準を超えていれば、「形状再現性が悪い」と判定し、上記乖離が許容し得る基準を超えていなければ、「形状再現性が良い」と判定している。
【００８５】
比較実験５の実験結果について説明する。図２０から、実施例１に係る導光板１９と、比較例３に係る導光板とは、共に光入射面側から反対端面側に近づくのに従って単位反射部の高さ寸法が次第に大きくなるよう形成されていることが分かる。その一方で、図２０からは、実施例１に係る導光板１９に設けられた単位反射部４１ａは、その高さ寸法が、比較例３に係る導光板に設けられた単位反射部の高さ寸法よりも概して大きくなるよう形成されていることが分かる。これは、比較例３に係る導光板に設けられた単位反射部が、第２方向について導光板の全長にわたって連続的に延在する形態とされるのに対し、実施例１に係る導光板１９に設けられた単位反射部４１ａが、第２方向について間隔を空けて断続的に並ぶ複数の分割単位反射部４１ａＳからなることに起因しており、以下にその理由を詳しく説明する。まず、単位反射部の表面積と、単位反射部による反射光量とは互いに比例する関係にあることから、必要な反射光量を得るには、単位反射部の表面積の大きさを目的の反射光量に応じた値としなければならない。ここで、比較例３に係る導光板では、単位反射部が第２方向について導光板の全長にわたって連続的に延在しているため、単位反射部の表面積を上記値とするには、単位反射部における高さ寸法をそれほど大きくすることはできない。これに比べて、実施例１に係る導光板では、単位反射部４１ａが第２方向について間隔を空けて断続的に並ぶ複数の分割単位反射部４１ａＳからなる構成であるから、単位反射部４１ａの表面積を上記値とするにあたり、単位反射部４１ａにおける高さ寸法を相対的に大きくすることができる。このような理由から、実施例１に係る導光板１９に設けられた単位反射部４１ａは、その高さ寸法が、比較例３に係る導光板に設けられた単位反射部の高さ寸法よりも概して大きくなるよう形成されているのである。
【００８６】
次に、図２１からは、単位反射部の高さ寸法が概ね３μｍを超える大きさになると、単位反射部の形状再現性が良好になることが分かる。そして、比較例３に係る導光板では、第１位置から第４位置において、いずれも単位反射部の形状再現性が不良とされ、第５位置においては同形状再現性が良好とされる。これに対し、実施例１に係る導光板１９では、第２位置から第５位置において、いずれも単位反射部４１ａの形状再現性が良好とされ、第１位置においては同形状再現性がやや良好とされる。これは、実施例１に係る導光板１９に設けられた複数の単位反射部４１ａは、その殆どが、単位反射部の形状再現性の良否の基準値である３μｍを超える高さ寸法とされているのに対し、比較例２に係る導光板に設けられた複数の単位反射部は、その殆どが上記基準値（３μｍ）を超えない高さ寸法とされていることに起因している。以上のように、実施例１のように、導光板１９の反対板面１９ｃに出光反射部４１に加えてプリズム部４３を設けるとともに、出光反射部４１をなす単位反射部４１ａを複数の分割単位反射部４１ａＳにより構成することで、単位反射部４１ａの高さ寸法を十分に大きくことができるので、導光板１９を樹脂成形により製造する際に、その反対板面１９ｃにおいて単位反射部４１ａをなす分割単位反射部４１ａＳが設計通りの形状でもって形成され易くなっている。これにより、出光反射部４１の光学性能を適切に発揮させることができる。なお、比較例３に係る導光板において、単位反射部の高さ寸法を大きくするには、例えば第１方向について並ぶ単位反射部の数を削減することで、各単位反射部の表面積を足した総面積が一定の値となるよう調整することが考えられる。しかしながら、そうすると第１方向について並ぶ単位反射部の配列間隔が大きくなるため、導光板の出射光に輝度ムラが生じることが懸念される。その点、実施例１に係る導光板１９のように、単位反射部４１ａを、第２方向について間隔を空けて断続的に並ぶ複数の分割単位反射部４１ａＳから構成すれば、第１方向について並ぶ単位反射部４１ａの数及び配列間隔を変更する必要がないから、導光板１９の出射光に輝度ムラが生じ難いものとされる。
【００８７】
以上説明したように本実施形態のバックライト装置（照明装置）１２は、ＬＥＤ（光源）１７と、方形の板状をなし、その外周端面のうち対辺をなす一対の端面の少なくともいずれか一方がＬＥＤ１７から発せられた光が入射される光入射面１９ｂとされるとともに、一方の板面が光を出射させる光出射面１９ａとされ、さらには他方の板面が反対板面１９ｃとされる導光板１９と、導光板１９に対して出光側に配され、導光板１９の外周端面のうち対辺をなすとともに光入射面１９ｂを含まない一対の端面に沿う第１方向に沿って延在する出光側単位プリズム（出光側単位集光部）４２ａを、導光板１９の外周端面のうち光入射面１９ｂを含む一対の端面に沿う第２方向に沿って複数並ぶ形で配してなるプリズムシート（出光側異方性集光部）４２と、導光板１９の光出射面１９ａと反対板面１９ｃとのうちの一方側に配されるとともに導光板１９内を伝播する光を反射して光出射面１９ａからの出光を促すための出光反射部４１であって、第２方向に沿って延在する単位反射部４１ａを、第１方向に沿って間隔を空けて複数並ぶ形で配してなる出光反射部４１と、導光板１９の光出射面１９ａと反対板面１９ｃとのうちの一方側に配されるプリズム部４３であって、第１方向に沿って延在する単位プリズム４３ａを、第２方向に沿って複数並ぶ形で配してなるプリズム部４３と、導光板１９の光出射面１９ａと反対板面１９ｃとのうちの他方側に配される凹型レンチキュラーレンズ部（レンチキュラーレンズ部）４４であって、第１方向に沿って延在する凹型シリンドリカルレンズ（シリンドリカルレンズ）４４ａを第２方向に沿って複数並ぶ形で配してなるとともに、第１方向について光入射面１９ｂに近い側では凹型シリンドリカルレンズ４４ａにおける第２方向についての占有比率が相対的に高いものの光入射面１９ｂから遠い側では凹型シリンドリカルレンズ４４ａにおける第２方向についての占有比率が相対的に低くなるよう構成された凹型レンチキュラーレンズ部４４と、導光板１９の光出射面１９ａと反対板面１９ｃとのうちの他方側に配されるとともに、第１方向及び第２方向に沿って平坦な平坦状部４５であって、第２方向について凹型シリンドリカルレンズ４４ａに対して隣り合う形で配されるとともに、第１方向について光入射面１９ｂに近い側では第２方向についての占有比率が相対的に低いものの光入射面１９ｂから遠い側では第２方向についての占有比率が相対的に高くなる平坦状部４５と、を備える。
【００８８】
このようにすれば、ＬＥＤ１７から発せられた光は、導光板１９の光入射面１９ｂに入射し、導光板１９内を伝播され、その過程で出光反射部４１により反射される。この出光反射部４１を構成する単位反射部４１ａは、第２方向に沿って延在するとともに第１方向に沿って間隔を空けて複数並ぶ形で配されているので、導光板１９内を第１方向に沿って進行する光を反射し、光出射面１９ａからの出射を促すことができる。光出射面１９ａからの出射光の少なくとも一部に関しては、プリズム部４３と凹型レンチキュラーレンズ部４４との少なくともいずれか一方によってそれぞれ異方性集光作用が付与されている。すなわち、プリズム部４３及び凹型レンチキュラーレンズ部４４は、それぞれ第１方向に沿って延在する単位プリズム４３ａ及び凹型シリンドリカルレンズ４４ａを第２方向に沿って複数並ぶ形で配した構成であるから、光出射面１９ａからの出射光の少なくとも一部には、単位プリズム４３ａと凹型シリンドリカルレンズ４４ａとの少なくともいずれか一方によって第２方向について選択的に集光作用が付与されることになる。
【００８９】
一方、出光反射部４１により反射されることなく導光板１９内を第１方向に沿って伝播する光に関しては、プリズム部４３及び凹型レンチキュラーレンズ部４４により全反射されることで、第２方向について拡散しつつ導光板１９内を伝播するものとされる。特に、凹型レンチキュラーレンズ部４４は、凹型シリンドリカルレンズ４４ａにより構成されているので、この凹型シリンドリカルレンズ４４ａにより全反射された光が第２方向についてより広範囲に拡散され易くなっている。
【００９０】
導光板１９の光出射面１９ａから出射された光は、導光板１９に対して出光側に配されたプリズムシート４２によって異方性集光作用が付与される。すなわち、プリズムシート４２は、第１方向に沿って延在する出光側単位プリズム４２ａを第２方向に沿って複数並ぶ形で配した構成であるから、出光側単位プリズム４２ａから出射する光には、出光側単位プリズム４２ａの並び方向である第２方向について選択的に集光作用が付与される。ここで、凹型レンチキュラーレンズ部４４を構成する凹型シリンドリカルレンズ４４ａは、出光反射部４１による反射光に対して上記のように異方性集光作用を付与するものの、その異方性集光作用を付与された光は、プリズムシート４２においては第２方向について集光され難く、むしろ第２方向について拡散され易くなっている。一方、第２方向について凹型シリンドリカルレンズ４４ａに対して隣り合う形で配される平坦状部４５は、出光反射部４１による反射光に対して特定の光学作用を付与することが殆どないものとされるので、平坦状部４５を介してプリズムシート４２へと出射された光は、プリズム部４３により付与された異方性集光作用が支配的に付与されたものとなり、それによりプリズムシート４２では第２方向について集光作用が付与され易くなっている。従って、凹型レンチキュラーレンズ部４４の凹型シリンドリカルレンズ４４ａにおける第２方向についての占有比率が高く且つ平坦状部４５における第２方向についての占有比率が低くなるほど、プリズムシート４２の出射光においては第２方向について輝度ムラが緩和され易くなるものの輝度が低下し易くなる傾向とされるのに対し、平坦状部４５における第２方向についての占有比率が高くなり且つ凹型シリンドリカルレンズ４４ａにおける第２方向についての占有比率が低くなるほど、プリズムシート４２の出射光においては第２方向について輝度ムラが緩和され難くなるものの輝度が向上し易くなる傾向とされる。
【００９１】
そして、上記したように凹型レンチキュラーレンズ部４４及び平坦状部４５は、第１方向について光入射面１９ｂに近い側では凹型シリンドリカルレンズ４４ａにおける第２方向についての占有比率が相対的に高く且つ平坦状部４５における第２方向についての占有比率が相対的に低くなるのに対し、第１方向について光入射面１９ｂから遠い側では凹型シリンドリカルレンズ４４ａにおける第２方向についての占有比率が相対的に低く且つ平坦状部４５における第２方向についての占有比率が相対的に高くなるよう設けられているから、ＬＥＤ１７に起因する輝度ムラの発生が懸念される第１方向について光入射面１９ｂに近い側においては、相対的に高い占有比率とされた凹型レンチキュラーレンズ部４４の凹型シリンドリカルレンズ４４ａによりプリズムシート４２の出射光に第２方向について輝度ムラが生じ難くされるのに対し、本来的にＬＥＤ１７に起因する輝度ムラが発生し難いものとされる第１方向について光入射面１９ｂから遠い側においては、相対的に高い占有比率とされた平坦状部４５によりプリズムシート４２の出射光に係る輝度がより高いものとされる。以上により、プリズムシート４２の出射光に関して輝度ムラが緩和されるのに加えて輝度の向上が図られる。
【００９２】
また、出光反射部４１及びプリズム部４３は、導光板１９の反対板面１９ｃ側に配されているのに対し、凹型レンチキュラーレンズ部４４は、導光板１９の光出射面１９ａ側に配されている。このようにすれば、導光板１９の反対板面１９ｃ側に配された出光反射部４１を構成する単位反射部４１ａにより反射される光の少なくとも一部は、プリズム部４３により異方性集光作用を付与されつつ光出射面１９ａへと向かい、そこに配された凹型レンチキュラーレンズ部４４により異方性集光作用を付与されつつ出射される。仮に出光反射部を光出射面１９ａ側に配した場合に比べると、出光反射部４１により反射された光が光出射面１９ａから出射するまでの光路が単純なものになるとともに光の損失が生じ難くなるので、輝度低下が生じ難いものとされる。
【００９３】
また、プリズム部４３は、単位プリズム４３ａの頂角θｖ２が９０°〜１００°の範囲とされる。このようにすれば、仮に凹型シリンドリカルレンズにおける第２方向についての占有比率を一定とした場合に比べると、光出射面１９ａからの出射光に係る輝度を十分に向上させることができる。
【００９４】
また、プリズム部４３は、単位プリズム４３ａの頂角θｖ２が１００°とされる。このようにすれば、仮に凹型シリンドリカルレンズにおける第２方向についての占有比率を一定とした場合に比べると、光出射面１９ａからの出射光に係る輝度を最も向上させることができる。
【００９５】
また、プリズム部４３は、単位プリズム４３ａの頂角θｖ２が１２０°〜１６０°の範囲とされる。このようにすれば、仮に凹型シリンドリカルレンズにおける第２方向についての占有比率を一定とした場合に比べると、光出射面１９ａからの出射光に係る輝度を十分に向上させることができる。
【００９６】
また、プリズム部４３は、単位プリズム４３ａの頂角θｖ２が１３３°〜１４０°の範囲とされる。このようにすれば、仮に凹型シリンドリカルレンズにおける第２方向についての占有比率を一定とした場合に比べると、光出射面１９ａからの出射光に係る輝度をより向上させることができる。
【００９７】
また、凹型レンチキュラーレンズ部４４は、凹型シリンドリカルレンズ４４ａが凹型をなすよう設けられている。このようにすれば、仮にシリンドリカルレンズを凸型をなすようにした場合に比べると、導光板１９内を伝播する光が凹型シリンドリカルレンズ４４ａにおける曲面状をなす界面に対して臨界角を超える入射角でもって入射する確率が高いものとなるので、光が同界面から出射し難くなる。これにより、導光板１９内を伝播する光が凹型シリンドリカルレンズ４４ａにより全反射され易くなるとともに第２方向について拡散され易くなり、もって第２方向について輝度ムラがより生じ難いものとなる。
【００９８】
また、凹型レンチキュラーレンズ部４４及び平坦状部４５は、第１方向について光入射面１９ｂから遠ざかるのに従い、凹型シリンドリカルレンズ４４ａにおける第２方向についての占有比率が連続的に漸次減少するのに対し、平坦状部４５における第２方向についての占有比率が連続的に漸次増加するよう設けられている。このようにすれば、仮に凹型レンチキュラーレンズ部の凹型シリンドリカルレンズにおける第２方向についての占有比率と、平坦状部における第２方向についての占有比率とを段階的に変化させた場合に比べると、輝度ムラの発生をより好適に抑制することができ、また輝度の向上にもより好適となる。
【００９９】
また、出光反射部４１は、単位反射部４１ａが第２方向について間隔を空けて断続的に並ぶ複数の分割単位反射部４１ａＳから構成されている。まず、単位反射部４１ａは、その表面積の大きさに反射光量が比例する傾向にあることから、必要な反射光量を得るには表面積の大きさをそれに応じた値としなければならない。ここで、仮に単位反射部を第２方向について導光板１９の全長にわたって延在する形で形成した場合には、単位反射部４１ａの表面積を上記値とするには、単位反射部４１ａにおける導光板１９の板面の法線方向についての寸法を一定以上に大きくすることができない。これに比べて、単位反射部４１ａを、第２方向について間隔を空けて断続的に並ぶ複数の分割単位反射部４１ａＳから構成すれば、単位反射部４１ａの表面積を上記値とするに際して、単位反射部４１ａにおける導光板１９の板面の法線方向についての寸法を相対的に大きくすることができる。従って、例えば導光板１９を樹脂成形により製造し、その光出射面１９ａと反対板面１９ｃとのうちの一方側に出光反射部４１を一体成形した場合には、光出射面１９ａと反対板面１９ｃとのうちの一方側において単位反射部４１ａをなす分割単位反射部４１ａＳが設計通りの形状でもって形成され易くなる。これにより、出光反射部４１の光学性能を適切に発揮させることができる。
【０１００】
なお、仮に単位反射部を第２方向について導光板１９の全長にわたって延在する形で形成した場合には、第１方向について並ぶ単位反射部４１ａの数を削減することで、各単位反射部４１ａの表面積を足した総面積を調整することが可能ではあるものの、そうすると第１方向について並ぶ単位反射部４１ａの配列間隔が大きくなるため、輝度ムラが生じることが懸念される。その点、単位反射部４１ａを、第２方向について間隔を空けて断続的に並ぶ複数の分割単位反射部４１ａＳから構成すれば、第１方向について並ぶ単位反射部４１ａの数及び配列間隔を変更する必要がないから、当該バックライト装置１２の出射光に輝度ムラが生じ難いものとされる。
【０１０１】
また、出光反射部４１は、単位反射部４１ａが、プリズム部４３を構成する単位プリズム４３ａのうちの頂部４３ａ２側を部分的に切り欠くことで第２方向に沿って開口する形態となるよう形成されている。仮に単位反射部４１ａが第２方向に沿って開口せずに第１方向に沿う側面を有する形態とされた場合には、その第１方向に沿う側面によって光が屈折または反射されることで、プリズム部４３による集光性能が劣化することが懸念される。その点、単位反射部４１ａが、単位プリズム４３ａのうちの頂部４３ａ２側を部分的に切り欠くことで第２方向に沿って開口する形態となるよう出光反射部４１が形成されているので、プリズム部４３による集光性能が良好に発揮され、それにより当該バックライト装置１２の出射光に係る輝度をより高めることができる。
【０１０２】
また、本実施形態に係る液晶表示装置（表示装置）１０は、上記したバックライト装置１２と、バックライト装置１２からの光を利用して表示を行う液晶パネル（表示パネル）１１とを備える。このような構成の液晶表示装置１０によれば、バックライト装置１２の出射光に輝度ムラが生じ難く且つ高輝度とされているから、表示品位に優れた表示を実現することができる。
【０１０３】
＜実施形態２＞
本発明の実施形態２を図２２から図３１によって説明する。この実施形態２では、出光反射部１４１及びプリズム部１４３と、凹型レンチキュラーレンズ部１４４及び平坦状部１４５と、の配置を逆転させたものを示す。なお、上記した実施形態１と同様の構造、作用及び効果について重複する説明は省略する。
【０１０４】
本実施形態に係る導光板１１９は、図２２から図２４に示すように、光出射面１１９ａ側に出光反射部１４１及びプリズム部１４３を、反対板面１１９ｃ側に凹型レンチキュラーレンズ部（反対板面側レンチキュラーレンズ部）１４４及び平坦状部１４５を、それぞれ配置してなるものとされており、上記した実施形態１に記載した導光板１９とは表裏の板面１９ａ，１９ｃにおける各構造物の配置が逆転している。これら出光反射部１４１、プリズム部１４３、凹型レンチキュラーレンズ部１４４、及び平坦状部１４５は、導光板１１９における表裏の板面１１９ａ，１１９ｃの配置を除いては、上記した実施形態１に記載したものと同様の構成とされている。重複する内容ではあるが、補足的に説明すると、凹型レンチキュラーレンズ部１４４及び平坦状部１４５は、図２２，図２４から図２６に示すように、第１方向についての位置に応じて反対板面１１９ｃにおける第２方向についての占有比率が変化するものとされており、第１方向について光入射面１１９ｂに近い側では凹型シリンドリカルレンズ（反対板面側シリンドリカルレンズ）１４４ａに係る上記占有比率が相対的に高く且つ平坦状部１４５に係る上記占有比率が相対的に低くなるのに対し、第１方向について光入射面１１９ｂから遠い側（反対端面１１９ｄに近い側）では凹型シリンドリカルレンズ１４４ａに係る上記占有比率が相対的に低く且つ平坦状部１４５に係る上記占有比率が相対的に高くなるよう設けられている。
【０１０５】
導光板１１９の反対板面１１９ｃに配された凹型レンチキュラーレンズ部１４４を構成する複数の凹型シリンドリカルレンズ１４４ａと、反射シート１４０との間には、図２４に示すように、所定の隙間Ｃ１が空けられるようになっている。この隙間Ｃ１は、導光板１１９の反対板面１１９ｃと、反射シート１４０との間に介在するとともに、屈折率が約１．０とされた空気層とされている。この隙間Ｃ１は、第２方向（Ｘ軸方向）の位置に応じてその高さ寸法（第３方向についての寸法）が変化するものとされており、具体的には、同高さ寸法が、第２方向について凹型シリンドリカルレンズ１４４ａの中央位置から両端位置に近づくに従って減少するとともにその変化率が凹型シリンドリカルレンズ１４４ａの曲率に依存するものとされる。さらには、隙間Ｃ１は、図２４から図２６に示すように、第１方向（Ｙ軸方向）についての位置に応じてその高さ寸法が変化するものとされており、具体的には同高さ寸法が第１方向について光入射面１１９ｂから遠ざかって反対端面１１９ｄに近づくに従って減少するとともにその変化率が凹型シリンドリカルレンズ１４４ａに係る高さ寸法の変化率と同一とされる。また、平坦状部１４５は、反射シート１４０の反射面１４０ａに接した状態で配される。
【０１０６】
本実施形態では、出光反射部１４１が導光板１１９の光出射面１１９ａ側に配されているので、次の作用が得られる。すなわち、導光板１１９の光入射面１１９ｂに入射した光が導光板１１９内を第１方向に沿って反対端面１１９ｄ側に向けて伝播する過程で光出射面１１９ａに達すると、その一部がそこに配された出光反射部１４１により反射されて反対板面１１９ｃ側に向かう。出光反射部１４１により反射されて反対板面１１９ｃに達した光は、そこで凹型シリンドリカルレンズ１４４ａの円弧状面１４４ａ１に対して臨界角以下の入射角で入射した場合にはその光は円弧状面１４４ａ１にて屈折されつつ反射シート１４０との間に有される隙間Ｃ１へと出射される。隙間Ｃ１に出射した光は、反射シート１４０の反射面１４０ａにて反射された後、再び反対板面１１９ｃに達したところで凹型シリンドリカルレンズ１４４ａの円弧状面１４４ａ１に入射し、そこで再び屈折された後、光出射面１９ａへと向かってそこから出射される。このように隙間Ｃ１を介して反対板面１１９ｃを出入りする光の一部については、その出入りの度に、凹型シリンドリカルレンズ１４４ａによって異方性集光作用、つまり第２方向について選択的に集光作用が付与されるものの、同異方性集光作用が付与されない光については、出入りの度に第２方向について拡散されるような光学作用が付与される。この凹型シリンドリカルレンズ１４４ａによって異方性集光作用が付与されない光は、反対板面１１９ｃを出入りする際に付与される２回の屈折により第２方向について広範囲に拡散されるので、第２方向について光が良好に混合され、もって光出射面１１９ａからの出射光に第２方向について輝度ムラがより生じ難いものとなる。また、凹型シリンドリカルレンズ１４４ａによって異方性集光作用が付与された光は、プリズムシート１４２においては第２方向について集光され難く、むしろ第２方向について拡散され易いものとなっているため、プリズムシート１４２の出射光に係る輝度ムラを改善させるものの正面輝度の向上に寄与することがないものとされる。
【０１０７】
次に、本実施形態のように光出射面側に出光反射部及びプリズム部を、反対板面側に凹型レンチキュラーレンズ部を、それぞれ配した導光板において、導光板の反対板面の全域を、平坦状部とした場合と、凹型レンチキュラーレンズ部とした場合と、でプリズムシートの出射光に係る輝度分布がどのように異なるかに関して知見を得るべく比較実験６を行った。この比較実験６では、反対板面の全域を平坦状部とした導光板を比較例４とし、反対板面の全域を凹型レンチキュラーレンズ部とした導光板を比較例５とし、これら比較例４，５に係る各導光板の出射光をプリズムシートに透過させて得られる出射光に関して、輝度分布を測定してその結果を図２７に示す。比較例４に係る導光板は、既述した比較実験２にて説明した比較例１に係る導光板の表裏の板面における各構造物の配置を逆転させた構成とされるとともに、プリズム部を構成する単位プリズムの頂角が１４０°とされている。比較例５に係る導光板は、既述した比較実験２にて説明した比較例２に係る導光板の表裏の板面における各構造物の配置を逆転させた構成とされるとともに、プリズム部を構成する単位プリズムの頂角が１４０°とされている。また、プリズムシートの構成は、上記した実施形態１に記載したものと同様とされる。図２７では、縦軸をプリズムシートからの出射光の相対輝度（無単位）とし、横軸を第２方向についての正面方向に対する角度（単位は「°」）としている。図２７における縦軸の相対輝度は、比較例４，５に係る各導光板のそれぞれにおいて、正面方向（角度が０°）についての輝度値を基準（１．０）とした相対値である。なお、図２７では、実線で示されるグラフが比較例４を、破線で示されるグラフが比較例５を、それぞれ表している。
【０１０８】
比較実験６の実験結果について説明する。図２７によれば、比較例４は、比較例５に比べて、プリズムシートの出射光に係る第２方向についての正面輝度がより高いものとされている。詳しくは、比較例４に係る導光板からの出射光をプリズムシートに透過させて得た出射光には、比較例５に係る導光板からの出射光をプリズムシートに透過させて得た出射光に比べると、正面方向に対して進行方向が±１０°の角度範囲となるものの光量が相対的に多く含まれているのに対し、正面方向に対して進行方向が±２０°〜±４０°の角度範囲となるものが相対的に少なく含まれていることが分かる。つまり、比較例４に係る導光板からの出射光をプリズムシートに透過させて得た出射光は、比較例５に比べて正面方向への集光度合いが高いものとされている。これは、比較例５のように、反対板面の全域に凹型レンチキュラーレンズ部を配すると、その凹型レンチキュラーレンズ部により異方性集光作用が付与された光がプリズムシートにおいては第２方向について集光され難くなるため、正面輝度が相対的に低くなると考えられる。これに対し、比較例４のように、反対板面の全域に平坦状部を配すると、平坦状部では光に特定の光学作用を付与することがないため、導光板の出射光に付与される光学作用としてはプリズム部による異方性集光作用が支配的となる。そして、当該出射光がプリズムシートにおいては第２方向について集光され易くなるので、正面輝度が相対的に高くなると考えられる。
【０１０９】
続いて、上記した比較実験６の比較例４のように、導光板の反対板面を全域にわたって平坦状部とした上で、プリズム部を構成する単位プリズムの頂角を変化させた場合に輝度がどのように変化するかに関して知見を得るべく比較実験７を行った。この比較実験７では、比較実験６にて説明した比較例４に係る導光板を用いるとともに、そのプリズム部を構成する単位プリズムの頂角を、９０°〜１６０°の範囲で変化させたとき、当該頂角の変化に伴って、導光板の光出射面から出射した光を、当該導光板の出光側に積層配置したプリズムシートに透過させて得られる出射光の輝度がどのように変化するかを測定し、その結果を図２８に示す。図２８において、横軸は、単位プリズムの頂角（単位は「°」）であり、縦軸は、プリズムシートの出射光に係る相対輝度（単位は「％」）である。図２８の縦軸に示される出射光に係る相対輝度は、比較実験６にて説明した比較例５に係る導光板の出射光をプリズムシートに透過させて得られる出射光に係る輝度値を基準（１００％）とした相対値である。
【０１１０】
比較実験７の実験結果について説明する。図２８からは、単位プリズムの頂角が１０２°〜１１２°の範囲とされるか、１３２°〜１５６°の範囲とされていれば、比較実験６の比較例５よりも相対輝度が高くなることが分かる。中でも、単位プリズムの頂角が１１０°とされるか、１３５°〜１５５°の範囲とされていれば、比較例５との比較で相対輝度が５％以上高くなっている。そして、単位プリズムの頂角が１５０°とされていれば、最も高輝度となっていて比較例５との比較で相対輝度が１３％程度高くなっている。この比較実験７のように、導光板の反対板面の全域に平坦状部を配すると、平坦状部では光に特定の光学作用を付与することがないため、導光板の出射光に付与される光学作用としてはプリズム部による異方性集光作用が支配的となっている。従って、プリズム部を構成する単位プリズムの頂角は、１１０°または１３５°〜１５５°の範囲とされるのが好ましく、さらには１４０°〜１５０°の範囲とされるのがより好ましい。この傾向は、導光板１１９の反対板面１１９ａに、第１方向についての位置に応じて幅寸法が変化する凹型レンチキュラーレンズ部１４４及び平坦状部１４５を設けるようにした場合でも同様とされる。
【０１１１】
次に、凹型レンチキュラーレンズ部を構成する凹型シリンドリカルレンズの幅寸法を一定とした場合と、同幅寸法を第１方向についての位置に応じて変化させた場合と、で輝度分布がどのように異なるかに関して知見を得るため、比較実験８を行った。比較実験８では、反対板面に配した凹型シリンドリカルレンズの幅寸法が第１方向について全長にわたって一定幅とされた導光板を比較例５とし、反対板面１１９ｃに配した凹型シリンドリカルレンズ１４４ａの幅寸法が第１方向について光入射面１１９ｂから遠ざかるに従って連続的に漸次減少する導光板１１９を実施例２とし、それぞれの輝度分布を測定してその結果を図２９から図３１に示す。この輝度分布の測定は、比較例５及び実施例２に係る各導光板のうち、第１方向について、光入射面寄りの位置と、中央位置と、反対端面寄りの位置と、の３箇所にて行うものとし、光入射面寄りの位置での測定結果を図２９に、中央位置での測定結果を図３０に、反対端面寄りの位置での測定結果を図３１に、それぞれ示している。比較例５に係る導光板は、比較実験６にて説明した通りである。実施例２に係る導光板１１９は、反対板面１１９ｃに第１方向についての位置に応じて第２方向についての占有比率が変化する凹型レンチキュラーレンズ部１４４及び平坦状部１４５を設けるとともに光出射面１１９ａに出光反射部１４１及びプリズム部１４３を設けるようにした構成とされる。実施例２に係る導光板１１９には、第１方向について光入射面１１９ｂに近い側では凹型レンチキュラーレンズ部１４４を構成する凹型シリンドリカルレンズ１４４ａにおける第２方向についての占有比率が相対的に高く且つ平坦状部１４５における第２方向についての占有比率が相対的に低くなるのに対し、第１方向について光入射面１１９ｂから遠い側では凹型シリンドリカルレンズ１４４ａにおける第２方向についての占有比率が相対的に低く且つ平坦状部１４５における第２方向についての占有比率が相対的に高くなるよう設けられており、その詳しい構成は比較実験６以前の段落において説明したものと同一である。また、実施例２に係る導光板１１９の光出射面１１９ａに配されたプリズム部１４３を構成する単位プリズム１４３ａの頂角は、１４０°とされる。図２９から図３１では、縦軸をプリズムシートからの出射光の相対輝度（無単位）とし、横軸を第２方向についての正面方向に対する角度（単位は「°」）としている。図２９から図３１における縦軸の相対輝度は、比較例５及び実施例２に係る各導光板のそれぞれにおいて、正面方向（角度が０°）についての輝度値を基準（１．０）とした相対値である。なお、図２９から図３１では、破線で示されるグラフが比較例５を、実線で示されるグラフが実施例２を、それぞれ表している。
【０１１２】
比較実験８の実験結果について説明する。図２９から図３１によれば、実施例２に係る導光板１１９は、比較例５に係る導光板に比べると、第１方向についてのいずれの位置においても正面輝度が相対的に高いものとされていることが分かる。そして、図２９と図３０とを比較すると、第１方向について光入射面寄りの位置よりも、第１方向について中央位置での方が、実施例２に係る正面輝度がより高くなっているのが分かる。さらには、図３０と図３１とを比較すると、第１方向について中央位置よりも、第１方向について反対端面寄りの位置での方が、実施例２に係る正面輝度がより高くなっているのが分かる。つまり、実施例２に係る導光板１１９においては、光入射面１１９ｂから遠ざかって反対端面１１９ｄの近づくほど、正面輝度が向上しており、これは凹型シリンドリカルレンズ１４４ａの幅寸法の変化に反比例する傾向であると言える。詳しくは、凹型シリンドリカルレンズ１４４ａの幅寸法（第２方向についての占有比率）は、第１方向について光入射面１１９ｂ側の端位置にて最大となり、反対端面１１９ｄ側の端位置にて最小となっていることから、同幅寸法が減少するほど導光板１１９の出射光をプリズムシート１４２に透過させて得た出射光に係る正面輝度が向上する傾向とされている。そして、幅寸法が上記のように変化する凹型シリンドリカルレンズ１４４ａは、第１方向についての光入射面１１９ｂ側において幅寸法が大きくされることで、第２方向についての輝度ムラの発生を好適に抑制することができるとともに、そのような輝度ムラが本来的に生じ難い第１方向についての中央位置や反対端面１１９ｄ側においては幅寸法が小さくされることで、プリズムシート１４２の出射光に係る正面輝度を向上させることができるのである。そして、実施例２に係る導光板１１９からの出射光をプリズムシート１４２に透過させて得た出射光に係る輝度値を測定したところ、比較例５に係る導光板を用いた場合との比較において、８％程度向上することが分かった。
【０１１３】
以上説明したように本実施形態によれば、導光板１１９の反対板面１１９ｃと対向する形で配されるとともに光を反射する反射面を有する反射部材を備えており、出光反射部１４１及びプリズム部１４３は、導光板１１９の光出射面１１９ａ側に配されているのに対し、凹型レンチキュラーレンズ部１４４は、導光板１１９の反対板面１１９ｃ側に配されている。このようにすれば、導光板１１９の光出射面１１９ａ側に配された出光反射部１４１を構成する単位反射部１４１ａにより反射された光の少なくとも一部は、一旦反対板面１１９ｃへと向かい、そこで凹型レンチキュラーレンズ部１４４により異方性集光作用を付与されつつ出射されてから反射部材により反射されることで、再び反対板面１１９ｃに入射しつつ光出射面１１９ａへと向かい、そこでプリズム部１４３により異方性集光作用を付与されつつ出射される。このように出光反射部１４１により反射された光が光出射面１１９ａから出射するまでの光路が複雑なものとなり、特に反対板面１１９ｃ側から反射部材へと出射する際と、反射部材側から反対板面１１９ｃへと入射する際と、の少なくとも２回、光が屈折作用を受けることになる。出光反射部１４１による反射光のうちプリズム部１４３により異方性集光作用を付与されない光に関しては、上記した２回の屈折作用により第２方向について拡散し易くなるので、第２方向について光が良好に混合され、もって光出射面１１９ａからの出射光に第２方向について輝度ムラがより生じ難いものとなる。
【０１１４】
また、プリズム部１４３は、単位プリズム１４３ａの頂角θｖ２が１３５°〜１５５°の範囲とされる。このようにすれば、仮に凹型シリンドリカルレンズにおける第２方向についての占有比率を一定とした場合に比べると、光出射面１１９ａからの出射光に係る輝度を十分に向上させることができる。
【０１１５】
また、プリズム部１４３は、単位プリズム１４３ａの頂角θｖ２が１５０°とされる。このようにすれば、仮に凹型シリンドリカルレンズにおける第２方向についての占有比率を一定とした場合に比べると、光出射面１１９ａからの出射光に係る輝度を最も向上させることができる。
【０１１６】
また、プリズム部１４３は、単位プリズム１４３ａの頂角θｖ２が１１０°とされる。このようにすれば、仮に凹型シリンドリカルレンズにおける第２方向についての占有比率を一定とした場合に比べると、光出射面１１９ａからの出射光に係る輝度を十分に向上させることができる。
【０１１７】
＜実施形態３＞
本発明の実施形態３を図３２から図３４によって説明する。この実施形態３では、上記した実施形態１に記載した凹型レンチキュラーレンズ部４４に代えて、凸型レンチキュラーレンズ部４６を設けるようにしたものを示す。なお、上記した実施形態１と同様の構造、作用及び効果について重複する説明は省略する。
【０１１８】
本実施形態に係る導光板２１９の光出射面２１９ａには、図３２に示すように、凸型レンチキュラーレンズ部（レンチキュラーレンズ部、光出射面側レンチキュラーレンズ部）４６が設けられている。凸型レンチキュラーレンズ部４６は、第１方向（Ｘ軸方向）に沿って延在する凸型シリンドリカルレンズ（シリンドリカルレンズ、光出射面側シリンドリカルレンズ）４６ａを第２方向（Ｙ軸方向）に沿って多数並ぶ形で配してなる。凸型シリンドリカルレンズ４６ａは、光出射面２１９ａから第３方向（Ｚ軸方向）に沿って表側（出光側）に向けて突出する形で設けられており、凸型レンズとされる。凸型シリンドリカルレンズ４６ａは、軸線方向が第１方向と一致した略半円柱状をなしており、その裏側を向いた表面が円弧状をなす凸型の円弧状面４６ａ１とされる。凸型シリンドリカルレンズ４６ａは、延在方向（第１方向）と直交する並列方向（第２方向）に沿って切断した断面形状が略半円形状（蒲鉾型）をなしている。凸型シリンドリカルレンズ４６ａは、その幅寸法（第２方向についての寸法）が第１方向について全長にわたって一定とされる。この凸型シリンドリカルレンズ４６ａは、その円弧状面４６ａ１の基端部４６ａ２での接線Ｔａが第２方向に対してなす角度θｔを「接線角」としたとき、その接線角θｔが例えば７０°程度とされる。
【０１１９】
このような構成の凸型シリンドリカルレンズ４６ａは、上記した実施形態１に記載した凹型シリンドリカルレンズ４４ａ（図１０から図１２を参照）と概ね同様の光学作用を奏するものとされる。すなわち、光出射面２１９ａに達した光が、凸型シリンドリカルレンズ４６ａにおける円弧状面４６ａ１に対して臨界角を超える入射角で入射した場合には、円弧状面４６ａ１にて全反射されることで、第２方向について広範囲に拡散するよう進行しつつ導光板２１９内を伝播される。これにより、第２方向について輝度ムラが生じ難いものとされる一方、光出射面２１９ａに達した光が、凸型シリンドリカルレンズ４６ａの円弧状面４６ａ１に対して臨界角以下の入射角で入射した場合には、その光は円弧状面４６ａ１にて屈折されつつプリズムシートへ向けて出射される。
【０１２０】
凸型レンチキュラーレンズ部４６を構成する凸型シリンドリカルレンズ４６ａは、図３２から図３４に示すように、その幅寸法（第２方向についての寸法）が第１方向についての位置に応じて変化するよう形成されている。詳しくは、凸型シリンドリカルレンズ４６ａは、その幅寸法、つまり光出射面２１９ａにおける第２方向についての占有比率が、第１方向についての光入射面から遠ざかって反対端面に近づくのに従って連続的に漸次減少し、逆に第１方向について反対端面から遠ざかって光入射面に近づくのに従って連続的に漸次増加している。凸型シリンドリカルレンズ４６ａは、導光板２１９における第１方向についての光入射面側の端部（端位置）では上記占有比率が最大で例えば７０％〜９０％程度とされるのに対し、反対端面側の端部では上記占有比率が最小で例えば１０％〜３０％程度とされ、また第１方向についての中央部では上記占有比率が例えば５０％程度とされる。さらには、凸型シリンドリカルレンズ４６ａは、その高さ寸法（第３方向についての寸法）が第１方向についての位置に応じて変化するよう形成されている。詳しくは、凸型シリンドリカルレンズ４６ａは、その高さ寸法、つまり光出射面２１９ａからの突出高さが、第１方向についての光入射面から遠ざかって反対端面に近づくのに従って連続的に漸次減少し、逆に第１方向について反対端面から遠ざかって光入射面に近づくのに従って連続的に漸次増加している。つまり、凸型シリンドリカルレンズ４６ａの高さ寸法は、第１方向についての位置に応じて幅寸法と同様に変化するものとされる。従って、凸型シリンドリカルレンズ４６ａは、その表面積（円弧状面４６ａ１の面積）に関しても、第１方向についての位置に応じて幅寸法及び高さ寸法と同様に変化するものとされる。
【０１２１】
導光板２１９の光出射面２１９ａのうち、凸型レンチキュラーレンズ部４６（凸型シリンドリカルレンズ４６ａ）の非形成領域には、第１方向（Ｘ軸方向）及び第２方向（Ｙ軸方向）に沿って平坦な形状の平坦状部２４５が形成されている。平坦状部２４５は、凸型シリンドリカルレンズ４６ａに対して第２方向について隣り合う形で複数が配されている。つまり、導光板２１９の光出射面２１９ａには、凸型シリンドリカルレンズ４６ａと平坦状部２４５とが第２方向について交互に並ぶ形で配されている。平坦状部２４５は、その幅寸法（第２方向についての寸法）が第１方向についての位置に応じて変化するよう形成されている。詳しくは、平坦状部２４５は、その幅寸法、つまり光出射面２１９ａにおける第２方向についての占有比率が、第１方向についての光入射面に近づいて反対端面から遠ざかるのに従って連続的に漸次減少し、逆に第１方向について反対端面に近づいて光入射面から遠ざかるのに従って連続的に漸次増加している。平坦状部２４５は、導光板２１９における第１方向についての光入射面側の端部（端位置）では上記占有比率が最小で例えば１０％〜３０％程度とされるのに対し、反対端面側の端部では上記占有比率が最大で例えば７０％〜９０％程度とされ、また第１方向についての中央部では上記占有比率が例えば５０％程度とされる。
【０１２２】
このように、凸型レンチキュラーレンズ部４６及び平坦状部２４５は、導光板２１９ｃの光出射面２１９ａにおける第２方向についての占有比率に関して、第１方向について光入射面に近い側では凸型シリンドリカルレンズ４６ａに係る占有比率が相対的に高く且つ平坦状部２４５に係る占有比率が相対的に低くなるのに対し、第１方向について光入射面から遠い側では凸型シリンドリカルレンズ４６ａに係る占有比率が相対的に低く且つ平坦状部２４５に係る占有比率が相対的に高くなるよう設けられているから、図示しないＬＥＤに起因する輝度ムラの発生が懸念される第１方向について光入射面に近い側においては、相対的に高い占有比率とされた凸型シリンドリカルレンズ４６ａにより図示しないプリズムシートの出射光に第２方向について輝度ムラが生じ難くされるのに対し、本来的にＬＥＤに起因する輝度ムラが発生し難いものとされる第１方向について光入射面から遠い側においては、相対的に高い占有比率とされた平坦状部２４５によりプリズムシートの出射光に係る輝度がより高いものとされる。以上により、プリズムシートの出射光に関して輝度ムラが緩和されるとともに輝度の向上が図られる。
【０１２３】
以上説明したように本実施形態によれば、凸型レンチキュラーレンズ部４６は、凸型シリンドリカルレンズ４６ａが凸型をなすよう設けられている。このようにすれば、仮にシリンドリカルレンズを凹型をなすようにした場合に比べると、導光板２１９内を伝播する光が凸型シリンドリカルレンズ４６ａにおける曲面状をなす界面に対して臨界角を超えない入射角でもって入射する確率が高いものとなるので、光が同界面から出射し易くなる。
【０１２４】
＜実施形態４＞
本発明の実施形態４を図３５によって説明する。この実施形態４では、上記した実施形態３から凸型レンチキュラーレンズ部３４６の構成を変更したものを示す。なお、上記した実施形態３と同様の構造、作用及び効果について重複する説明は省略する。
【０１２５】
本実施形態に係る凸型レンチキュラーレンズ部３４６の凸型シリンドリカルレンズ３４６ａは、図３５に示すように、高さ寸法が相対的に小さな第１凸型シリンドリカルレンズ（第１シリンドリカルレンズ）３４６ａＡと、高さ寸法が相対的に大きな第２凸型シリンドリカルレンズ（第２シリンドリカルレンズ）３４６ａＢと、から構成されている。これら第１凸型シリンドリカルレンズ３４６ａＡ及び第２凸型シリンドリカルレンズ３４６ａＢは、その幅寸法の変化率、高さ寸法の変化率、及び接線角などが上記した実施形態３に記載した凸型シリンドリカルレンズ４６ａと同一とされる。つまり、第１凸型シリンドリカルレンズ３４６ａＡは、その断面形状が第２凸型シリンドリカルレンズ３４６ａＢの断面形状と相似形をなしている。
【０１２６】
第２凸型シリンドリカルレンズ３４６ａＢは、その底面の幅寸法及び高さ寸法が、第１凸型シリンドリカルレンズ３４６ａＡに比べて大きなものとされており、具体的には第１凸型シリンドリカルレンズ３４６ａＡの底面の幅寸法及び高さ寸法のそれぞれ約２倍程度とされる。従って、第２凸型シリンドリカルレンズ３４６ａＢは、その頂部３４６ａＢ１が、第１凸型シリンドリカルレンズ３４６ａＡの頂部３４６ａＡ１よりも相対的に高い位置（プリズムシート３４２に近い位置）に配されるとともに、プリズムシート３４２の裏側（導光板３１９側）の板面に接する形で配されている。これに対し、第１凸型シリンドリカルレンズ３４６ａＡは、その頂部３４６ａＡ１が第２凸型シリンドリカルレンズ３４６ａＢの頂部３４６ａＢ１よりも相対的に低い位置（プリズムシート３４２から遠い位置）に配されるとともに、プリズムシート３４２の裏側の板面との間に隙間Ｃ２が空けられた形で配されている。つまり、第１凸型シリンドリカルレンズ３４６ａＡは、プリズムシート３４２の裏側の板面に対して非接触状態に保たれている。これにより、導光板３１９とプリズムシート３４２との接触面積が上記した実施形態３に比べて減少するとともに、導光板３１９とプリズムシート３４２との間に生じる隙間Ｃ２に空気層が存在することで、導光板３１９とプリズムシート３４２とが密着し難くなる。第２方向について隣り合う第１凸型シリンドリカルレンズ３４６ａＡと第２凸型シリンドリカルレンズ３４６ａＢとの間には、平坦状部３４５が挟み込まれる形で配されている。
【０１２７】
以上説明したように本実施形態によれば、出光反射部３４１及びプリズム部３４３は、導光板３１９の反対板面３１９ｃ側に配されているのに対し、凸型レンチキュラーレンズ部３４６は、導光板３１９の光出射面３１９ａ側に配されており、凸型レンチキュラーレンズ部３４６を構成する凸型シリンドリカルレンズ３４６ａには、相対的に低い第１凸型シリンドリカルレンズ（第１シリンドリカルレンズ）３４６ａＡと、相対的に高い第２凸型シリンドリカルレンズ（第２シリンドリカルレンズ）３４６ａＢとが含まれており、第１凸型シリンドリカルレンズ３４６ａＡと、プリズムシート３４２との間には、隙間Ｃ２が空けられている。このようにすれば、複数の凸型シリンドリカルレンズ３４６ａに含まれる第１凸型シリンドリカルレンズ３４６ａＡと、プリズムシート３４２との間に隙間Ｃ２が空けられることで、凸型レンチキュラーレンズ部３４６に対してプリズムシート３４２が密着し難いものとされる。これにより、当該バックライト装置３１２の出射光に輝度ムラの発生を抑制することができる。
【０１２８】
＜実施形態５＞
本発明の実施形態５を図３６から図３８によって説明する。この実施形態５では、上記した実施形態２に記載した凹型レンチキュラーレンズ部１４４に代えて、上記した実施形態３と同様の凸型レンチキュラーレンズ部４４６を設けるようにしたものを示す。なお、上記した実施形態２，３と同様の構造、作用及び効果について重複する説明は省略する。
【０１２９】
本実施形態に係る導光板４１９は、図３６から図３８に示すように、反対板面４１９ｃ側に出光反射部４４１及びプリズム部４４３を、光出射面４１９ａ側に凸型レンチキュラーレンズ部４４６及び平坦状部４４５を、それぞれ配置してなるものとされており、上記した実施形態３に記載した導光板２１９とは表裏の板面２１９ａ，２１９ｃにおける各構造物の配置が逆転している。これら出光反射部４４１、プリズム部４４３、凸型レンチキュラーレンズ部４４６、及び平坦状部４４５は、導光板４１９における表裏の板面４１９ａ，４１９ｃの配置を除いては、上記した実施形態３に記載したものと同様の構成とされている。このように、導光板４１９の反対板面４１９ｃは、凸型レンチキュラーレンズ部４４６が設けられることで凹凸形状となっており、それにより第２方向に沿って並ぶ複数の凸型シリンドリカルレンズ４４６ａと、図示しない反射シートとの間には、所定の隙間が空けられるようになっている。
【０１３０】
＜実施形態６＞
本発明の実施形態６を図３９によって説明する。この実施形態６では、上記した実施形態１から凹型レンチキュラーレンズ部５４４及び平坦状部５４５に係る第２方向についての占有比率を変更したものを示す。なお、上記した実施形態１と同様の構造、作用及び効果について重複する説明は省略する。
【０１３１】
本実施形態に係る凹型レンチキュラーレンズ部５４４は、図３９に示すように、光出射面５１９ａにおける凹型シリンドリカルレンズ５４４ａに係る第２方向についての占有比率が反対端面５１９ｄ側の端部ではほぼ０％となるよう構成されている。平坦状部５４５は、光出射面５１９ａにおける第２方向についての占有比率が反対端面５１９ｄ側の端部ではほぼ１００％となるものとされる。このような構成は、導光板５１９の反対端面５１９ｄ側においてより輝度不足が懸念される場合に特に有用とされる。
【０１３２】
＜実施形態７＞
本発明の実施形態７を図４０によって説明する。この実施形態７では、上記した実施形態６から凹型レンチキュラーレンズ部６４４及び平坦状部６４５に係る第２方向についての占有比率を変更したものを示す。なお、上記した実施形態１，６と同様の構造、作用及び効果について重複する説明は省略する。
【０１３３】
本実施形態に係る凹型レンチキュラーレンズ部６４４は、図４０に示すように、光出射面６１９ａにおける凹型シリンドリカルレンズ６４４ａに係る第２方向についての占有比率が反対端面６１９ｄ側の端部ではほぼ０％となるものの、光入射面６１９ｂ側の端部ではほぼ１００％となるよう構成されている。平坦状部６４５は、光出射面６１９ａにおける第２方向についての占有比率が反対端面６１９ｄ側の端部ではほぼ０％となるものの、光入射面６１９ｂ側の端部ではほぼ０％となるものとされる。このような構成は、導光板６１９の導光板６１９の反対端面６１９ｄ側においてより輝度不足が懸念されるとともに、光入射面６１９ｂ側においてより輝度ムラの発生が懸念される場合に特に有用とされる。
【０１３４】
＜実施形態８＞
本発明の実施形態８を図４１によって説明する。この実施形態８では、上記した実施形態７から凹型レンチキュラーレンズ部７４４及び平坦状部７４５に係る第２方向についての占有比率を変更したものを示す。なお、上記した実施形態１，７と同様の構造、作用及び効果について重複する説明は省略する。
【０１３５】
本実施形態に係る凹型レンチキュラーレンズ部７４４は、図４１に示すように、光出射面７１９ａにおける凹型シリンドリカルレンズ７４４ａに係る第２方向についての占有比率が、第１方向について光入射面７１９ｂから遠ざかるに従って連続的に漸次減少し、反対端面７１９ｄ側の端部に至る手前の段階で０％に達するよう設けられている。従って、凹型レンチキュラーレンズ部７４４は、第１方向についての形成範囲が導光板７１９の全長には至らないものとされ、具体的には光入射面７１９ｂ側の端部から反対端面７１９ｄに至る手前の位置までとなるよう設けられている。これに対し、平坦状部７４５は、光出射面７１９ａにおける第２方向についての占有比率が、第１方向について光入射面７１９ｂから遠ざかるに従って連続的に漸次増加し、反対端面７１９ｄ側の端部に至る手前の段階で１００％に達するよう設けられている。このような構成は、導光板７１９の反対端面７１９ｄ側において一層の輝度不足が懸念される場合に特に有用とされる。
【０１３６】
＜実施形態９＞
本発明の実施形態９を図４２によって説明する。この実施形態９では、上記した実施形態１から凹型レンチキュラーレンズ部８４４及び平坦状部８４５に係る第２方向についての占有比率の変化の仕方を変更したものを示す。なお、上記した実施形態１と同様の構造、作用及び効果について重複する説明は省略する。
【０１３７】
本実施形態に係る凹型レンチキュラーレンズ部８４４（凹型シリンドリカルレンズ８４４ａ）及び平坦状部８４５は、図４２に示すように、それぞれの幅を規定する両側縁ＳＥが、平面に視て略円弧状をなすよう設けられている。詳しくは、凹型レンチキュラーレンズ部８４４及び平坦状部８４５の上記両側縁ＳＥは、各側縁ＳＥにおける第１方向について両端位置同士を結んで得られた仮想線Ｌ（図４２では二点鎖線により図示する）に対して凹状シリンドリカルレンズ８４４ａ側を通るよう形成されている。このような構成であっても、上記した実施形態１と同様に、輝度の向上と輝度ムラの抑制とを好適に両立することができる。
【０１３８】
＜実施形態１０＞
本発明の実施形態１０を図４３によって説明する。この実施形態１０では、上記した実施形態１から凹型レンチキュラーレンズ部９４４及び平坦状部９４５に係る第２方向についての占有比率の変化の仕方を変更したものを示す。なお、上記した実施形態１と同様の構造、作用及び効果について重複する説明は省略する。
【０１３９】
本実施形態に係る凹型レンチキュラーレンズ部９４４（凹型シリンドリカルレンズ９４４ａ）及び平坦状部９４５は、図４３に示すように、それぞれの幅を規定する両側縁ＳＥが、平面に視て略円弧状をなすよう設けられている。詳しくは、凹型レンチキュラーレンズ部９４４及び平坦状部９４５の上記両側縁ＳＥは、各側縁ＳＥにおける第１方向について両端位置同士を結んで得られた仮想線Ｌ（図４３では二点鎖線により図示する）に対して平坦状部９４５を通るよう形成されている。このような構成であっても、上記した実施形態１と同様に、輝度の向上と輝度ムラの抑制とを好適に両立することができる。
【０１４０】
＜実施形態１１＞
本発明の実施形態１１を図４４によって説明する。この実施形態１１では、上記した実施形態１から凹型レンチキュラーレンズ部１０４４及び平坦状部１０４５に係る第２方向についての占有比率の変化の仕方を変更したものを示す。なお、上記した実施形態１と同様の構造、作用及び効果について重複する説明は省略する。
【０１４１】
本実施形態に係る凹型レンチキュラーレンズ部１０４４（凹型シリンドリカルレンズ１０４４ａ）及び平坦状部１０４５は、図４４に示すように、それぞれの幅を規定する両側縁ＳＥが、平面に視て２段階の傾斜状をなしている。詳しくは、凹型レンチキュラーレンズ部１０４４及び平坦状部１０４５は、光出射面１０１９ａにおける第２方向についての占有比率に関して、第１方向の位置に応じて変化する変化率が途中で変更されている。これにより、凹型レンチキュラーレンズ部１０４４及び平坦状部１０４５における上記両側縁ＳＥは、第１方向に対する傾斜角度が相対的に大きな第１傾斜側縁ＳＥ１と、第１方向に対する傾斜角度が相対的に小さな第２傾斜側縁ＳＥ２とから構成される。第１傾斜側縁ＳＥ１と第２傾斜側縁ＳＥ２との境界位置は、第１方向について導光板１０１９の中央位置とほぼ一致している。このような構成であっても、上記した実施形態１と同様に、輝度の向上と輝度ムラの抑制とを好適に両立することができる。
【０１４２】
＜実施形態１２＞
本発明の実施形態１２を図４５によって説明する。この実施形態１２では、上記した実施形態１から凹型レンチキュラーレンズ部１１４４及び平坦状部１１４５に係る第２方向についての占有比率の変化の仕方を変更したものを示す。なお、上記した実施形態１と同様の構造、作用及び効果について重複する説明は省略する。
【０１４３】
本実施形態に係る凹型レンチキュラーレンズ部１１４４及び平坦状部１１４５は、図４５に示すように、それぞれの幅を規定する両側縁ＳＥが、平面に視て多段階の階段状をなしている。凹型レンチキュラーレンズ部１１４４は、導光板１１１９の光出射面１１１９ａにおける凹状シリンドリカルレンズ１１４４ａに係る第２方向についての占有比率が、第１方向について光入射面１１１９ｂから遠ざかって反対端面１１１９ｄに近づくのに従って段階的に逐次減少するよう設けられている。平坦状部１１４５は、上記占有比率が、第１方向について光入射面１１１９ｂから遠ざかって反対端面１１１９ｄに近づくのに従って段階的に逐次増加するよう設けられている。従って、凹型レンチキュラーレンズ部１１４４及び平坦状部１１４５における上記両側縁ＳＥは、第１方向に並行する部分と、第２方向に並行する部分とが交互に繋がった構成とされる。本実施形態では、凹型レンチキュラーレンズ部１１４４及び平坦状部１１４５は、それぞれの幅寸法が５段階でもって増減するよう設けられている。このような構成であっても、上記した実施形態１と同様に、輝度の向上と輝度ムラの抑制とを好適に両立することができる。
【０１４４】
＜実施形態１３＞
本発明の実施形態１３を図４６によって説明する。この実施形態１３では、上記した実施形態１から導光板１２１９を挟み込む形でＬＥＤ１２１７を有するＬＥＤ基板１２１８を２組配置したものを示す。ものを示す。なお、上記した実施形態１と同様の構造、作用及び効果について重複する説明は省略する。
【０１４５】
本実施形態に係るＬＥＤ１２１７を有するＬＥＤ基板１２１８は、図４６に示すように、導光板１２１９を第１方向（Ｘ軸方向）について両側から挟み込む形で２組配置されている。このような配置構成では、導光板１２１９の外周端面のうち、一対の短辺側の端面がそれぞれＬＥＤ１２１７からの光が入射される光入射面１２１９ｂとされるのに対し、一対の長辺側の端面１２１９ｅがそれぞれＬＥＤ１２１７からの光が直接入光されない設定とされた非入光側面とされる。なお、図４６では、ＬＥＤ１２１７及びＬＥＤ基板１２１８を二点鎖線により図示している。
【０１４６】
ＬＥＤ基板１２１８を上記のような配置とするのに伴い、導光板１２１９の光出射面１２１９ａに設けられた凹型レンチキュラーレンズ部１２４４及び平坦状部１２４５は、次のような構成とされる。すなわち、凹型レンチキュラーレンズ部１２４４は、第１方向について各光入射面１２１９ｂ側では、光出射面１２１９ａにおける第２方向についての凹型シリンドリカルレンズ１２４４ａの占有比率が相対的に高くなるのに対し、第１方向について中央側では、凹型シリンドリカルレンズ１２４４ａの上記占有比率が相対的に低くなるよう設けられている。これに対し、平坦状部１２４５は、第１方向について各光入射面１２１９ｂ側では、上記占有比率が相対的に低くなるのに対し、第１方向について中央側では、上記占有比率が相対的に高くなるよう設けられている。
【０１４７】
詳しくは、凹型レンチキュラーレンズ部１２４４は、第１方向についての各光入射面１２１９ｂから遠ざかって第１方向についての中央部（各光入射面１２１９ｂから最も遠い部分）に近づくのに従って、光出射面１２１９ａにおける凹型シリンドリカルレンズ１２４４ａに係る第２方向についての占有比率（幅寸法）が連続的に漸次減少しており、逆に第１方向について中央部から遠ざかって各光入射面１２１９ｂに近づくのに従って上記占有比率が連続的に漸次増加している。凹型シリンドリカルレンズ１２４４ａは、導光板１２１９における第１方向についての各光入射面１２１９ｂ側の端部（端位置）では上記占有比率が最大で例えば７０％〜９０％程度とされるのに対し、第１方向についての中央部では上記占有比率が最大で例えば１０％〜３０％程度とされる。これに対し、平坦状部１２４５は、第１方向について各光入射面１２１９ｂから遠ざかって第１方向についての中央部に近づくのに従って上記占有比率が連続的に漸次増加しており、逆に第１方向について中央部から遠ざかって各光入射面１２１９ｂに近づくのに従って上記占有比率が連続的に漸次減少している。平坦状部１２４５は、導光板１２１９における第１方向についての各光入射面１２１９ｂ側の端部では上記占有比率が最大で例えば１０％〜３０％程度とされるのに対し、第１方向についての中央部では上記占有比率が最大で例えば７０％〜９０％程度とされる。凹型レンチキュラーレンズ部１２４４及び平坦状部１２４５における上記占有比率の変化率は、互いに同一とされる。このような構成であっても、上記した実施形態１と同様に、輝度の向上と輝度ムラの抑制とを好適に両立することができる。
【０１４８】
＜他の実施形態＞
本発明は上記記述及び図面によって説明した実施形態に限定されるものではなく、例えば次のような実施形態も本発明の技術的範囲に含まれる。
【０１４９】
（１）上記した各実施形態以外にも、導光板の反対板面または光出射面における第２方向についての凹型シリンドリカルレンズまたは凸型シリンドリカルレンズの占有比率の具体的な値は、適宜に変更可能である。例えば、上記占有比率を、第１方向について光入射面側の端部において９０％〜１００％の範囲または５０％〜７０％の範囲とし、第１方向について反対端面側の端部において０％〜１０％の範囲または３０％〜５０％の範囲とすることが可能である。また、導光板の反対板面における第１方向についての中央部での第２方向についての占有比率に関して、凹型シリンドリカルレンズまたは凸型シリンドリカルレンズの上記占有比率と、平坦状部の上記占有比率と、が互いに異なる大きさであっても構わない。
【０１５０】
（２）上記した各実施形態以外にも、導光板の反対板面または光出射面における第２方向についての平坦状部の占有比率の具体的な値は、適宜に変更可能である。例えば、上記占有比率を、第１方向について光入射面側の端部において０％〜１０％の範囲または３０％〜５０％の範囲とし、第１方向について反対端面側の端部において９０％〜１００％の範囲または５０％〜７０％の範囲とすることが可能である。
【０１５１】
（３）上記した各実施形態以外にも、導光板の光出射面または反対板面における第１方向についての中央部での第２方向についての占有比率に関して、凹型シリンドリカルレンズまたは凸型シリンドリカルレンズの上記占有比率と、平坦状部の上記占有比率と、が互いに異なる大きさであっても構わない。その場合、上記占有比率が互いに等しくなる位置が第１方向についての中央部に対して光入射面側と反対端面側とのいずれか一方にずれることになる。
【０１５２】
（４）上記した各実施形態では、平坦状部と、凹型シリンドリカルレンズまたは凸型シリンドリカルレンズとが第２方向について交互に繰り返し並ぶ形で配されたものを示したが、第２方向について複数の凹型シリンドリカルレンズまたは凸型シリンドリカルレンズが続けて並ぶ配置とするとともに、第２方向について隣り合う複数の凹型シリンドリカルレンズ群または凸型シリンドリカルレンズ群の間に平坦状部が挟まれる配置とすることも可能である。
【０１５３】
（５）上記した各実施形態では、導光板の反対板面または光出射面に平坦状部を設けた場合を示したが、各実施形態に記載した構成において、導光板の反対板面及び光出射面にそれぞれ平坦状部を設けることも可能である。その場合、プリズム部を構成とともに第２方向に沿って並ぶ複数の単位プリズムの間に平坦状部を介在する形で配置すればよい。
【０１５４】
（６）上記した各実施形態では、プリズム部を構成する単位プリズムの断面形状が二等辺三角形とされたものを示したが、単位プリズムの断面形状は、例えば全ての辺の長さが異なる不等辺三角形や直角三角形などとすることが可能である。
【０１５５】
（７）上記した各実施形態以外にも、プリズム部を構成する単位プリズムの頂角、高さ寸法、幅寸法、第２方向についての配列間隔などの具体的な値は、適宜に変更可能である。同様に、プリズムシートを構成する出光側単位プリズムにおける頂角、高さ寸法、幅寸法、第２方向についての配列間隔などの具体的な値は、適宜に変更可能である。
【０１５６】
（８）上記した各実施形態以外にも、凸型レンチキュラーレンズ部または凹型レンチキュラーレンズ部を構成する凸型シリンドリカルレンズまたは凹型シリンドリカルレンズにおける接線角、高さ寸法、幅寸法、第２方向についての配列間隔などの具体的な値は、適宜に変更可能である。
【０１５７】
（９）上記した各実施形態では、出光反射部及びプリズム部が導光板の反対板面または光出射面に一体に設けられた構成のものを示したが、出光反射部及びプリズム部を導光板とは別部品として設けるようにし、その別部品とした出光反射部及びプリズム部を導光板の反対板面または光出射面に重なる形で配置する構成を採ることも可能である。その場合、別部品とした出光反射部及びプリズム部をなす材料の屈折率を、導光板をなす材料の屈折率と同一とするのが好ましい。さらには、別部品とした出光反射部及びプリズム部をなす材料を、導光板をなす材料と同一とするのが好ましい。
【０１５８】
（１０）上記した各実施形態では、凸型レンチキュラーレンズ部または凹型レンチキュラーレンズ部、及び平坦状部が導光板の光出射面または反対板面に一体に設けられた構成のものを示したが、凸型レンチキュラーレンズ部または凹型レンチキュラーレンズ部、及び平坦状部を導光板とは別部品として設けるようにし、その別部品とした凸型レンチキュラーレンズ部または凹型レンチキュラーレンズ部、及び平坦状部を導光板の光出射面または反対板面に重なる形で配置する構成を採ることも可能である。その場合、別部品とした凸型レンチキュラーレンズ部または凹型レンチキュラーレンズ部、及び平坦状部をなす材料の屈折率を、導光板をなす材料の屈折率と同一とするのが好ましい。さらには、別部品とした凸型レンチキュラーレンズ部または凹型レンチキュラーレンズ部、及び平坦状部をなす材料を、導光板をなす材料と同一とするのが好ましい。
【０１５９】
（１１）上記した実施形態６から実施形態１３のいずれかに記載した構成を、実施形態２から実施形態５のいずれかに記載した構成に組み合わせることも可能である。
【０１６０】
（１２）上記した各実施形態では、反射シートが光を鏡面反射するタイプとされた場合を示したが、反射シートが光を拡散反射するタイプとされていても構わない。
【０１６１】
（１３）上記した各実施形態では、光学シートが１枚のプリズムシートのみからなる構成のものを示したが、他の種類の光学シート（例えば拡散シートや反射型偏光シートなど）を追加することも可能である。また、プリズムシートを複数枚とすることも可能である。
【０１６２】
（１４）上記した各実施形態では、導光板の光入射面に沿ってＬＥＤ基板が１枚配される構成のものを示したが、導光板の光入射面に沿ってＬＥＤ基板が２枚以上並ぶ配置構成としたものも本発明に含まれる。
【０１６３】
（１５）上記した実施形態４では、第１凸型シリンドリカルレンズと、第２凸型シリンドリカルレンズとにおける断面形状が相似形とされたものを示したが、第１凸型シリンドリカルレンズと、第２凸型シリンドリカルレンズとにおける断面形状が非相似形とされたものも本発明に含まれる。具体的には、第１凸型シリンドリカルレンズの接線角や曲率と、第２凸型シリンドリカルレンズの接線角や曲率とが異なる設定であっても構わない。
【０１６４】
（１６）上記した実施形態４では、凸型レンチキュラーレンズ部が、高さ寸法が異なる２種類の凸型シリンドリカルレンズからなるものを示したが、互いに高さ寸法が異なる３種類以上の凸型シリンドリカルレンズにより凸型レンチキュラーレンズ部を構成することも可能である。
【０１６５】
（１７）上記した実施形態４の変形例として、第２凸型シリンドリカルレンズの頂部を丸めた形状とすることも可能である。このようにすれば、プリズムシートにおける裏側の板面に擦れ傷などが付きにくくなる効果が得られる。
【０１６６】
（１８）上記した実施形態１１では、凹型シリンドリカルレンズ及び平坦状部における幅を規定する両側縁が平面に視て２段階の傾斜状をなすものを例示したが、上記両側縁が平面に視て３段階以上の多段階でもって傾斜状をなす構成とすることも可能である。
【０１６７】
（１９）上記した実施形態１２では、凹型シリンドリカルレンズ及び平坦状部の幅寸法が第１方向についての位置に応じて５段階でもって増減するものを例示したが、上記幅寸法が第１方向についての位置に応じて４段階以下、または６段階以上でもって増減する構成としてもよい。
【０１６８】
（２０）上記した各実施形態（実施形態１３を除く）では、導光板における短辺側の一端面を光入射面とし、その光入射面に対してＬＥＤ基板を対向状に配したものを示したが、導光板における長辺側の一端面を光入射面とし、その光入射面に対してＬＥＤ基板を対向状に配したものも本発明に含まれる。その場合、出光側単位プリズム、単位プリズム、及び凸型シリンドリカルレンズ（凹型シリンドリカルレンズ）における延在方向を、導光板の短辺方向に一致させ、出光側単位プリズム、単位プリズム、及び凸型シリンドリカルレンズ（凹型シリンドリカルレンズ）における幅方向（並び方向）を、導光板の長辺方向に一致させればよい。
【０１６９】
（２１）上記した実施形態１３の変形例として、導光板における長辺側の一対の端面をそれぞれ光入射面とし、各光入射面に対して一対のＬＥＤ基板をそれぞれ対向状に配したものも本発明に含まれる。
【０１７０】
（２２）上記した各実施形態では、導光板が長方形状とされた場合を示したが、導光板が正方形であってもよい。また、導光板は、完全なる方形である必要はなく、外周端部の一部が切り欠かれた構成であっても構わない。
【０１７１】
（２３）上記した各実施形態では、頂面発光型のＬＥＤを用いた場合を示したが、ＬＥＤ基板に対する実装面に対して隣り合う側面が発光面とされる側面発光型のＬＥＤを用いたものにも本発明は適用可能である。
【０１７２】
（２４）上記した各実施形態では、タッチパネルのタッチパネルパターンとして投影型静電容量方式のものを例示したが、それ以外にも、表面型静電容量方式、抵抗膜方式、電磁誘導方式などのタッチパネルパターンを採用したものにも本発明は適用可能である。
【０１７３】
（２５）上記した各実施形態に記載したタッチパネルに代えて、例えば、液晶パネルの表示面に表示される画像を視差により分離することで、立体画像（３Ｄ画像、三次元画像）として観察者に観察させるための視差バリアパターンを有する視差バリアパネル（スイッチ液晶パネル）を用いることも可能である。また、上記した視差バリアパネルとタッチパネルとを併用することも可能である。
【０１７４】
（２６）上記した（２５）に記載した視差バリアパネルにタッチパネルパターンを形成し、視差バリアパネルにタッチパネル機能を併有させることも可能である。
【０１７５】
（２７）上記した各実施形態では、液晶表示装置に用いる液晶パネルの画面サイズを５インチ程度とした場合を例示したが、液晶パネルの具体的な画面サイズは５インチ以外にも適宜に変更可能である。
【０１７６】
（２８）上記した各実施形態では、液晶パネルが有するカラーフィルタの着色部をＲ，Ｇ，Ｂの３色としたものを例示したが、着色部を４色以上とすることも可能である。
【０１７７】
（２９）上記した各実施形態では、光源としてＬＥＤを用いたものを示したが、有機ＥＬなどの他の光源を用いることも可能である。
【０１７８】
（３０）上記した各実施形態では、フレームが金属製とされたものを示したが、フレームを合成樹脂製とすることも可能である。
【０１７９】
（３１）上記した各実施形態では、カバーパネルとして化学強化処理を施した強化ガラスを用いた場合を示したが、風冷強化処理（物理強化処理）を施した強化ガラスを用いることも勿論可能である。
【０１８０】
（３２）上記した各実施形態では、カバーパネルとして強化ガラスを用いたものを示したが、強化ガラスではない通常のガラス材（非強化ガラス）や合成樹脂材を用いることも勿論可能である。
【０１８１】
（３３）上記した各実施形態では、液晶表示装置にカバーパネルを用いた場合を示したが、カバーパネルを省略することも可能である。同様にタッチパネルを省略することも可能である。また、それ以外にも、液晶表示装置の各構成部品に関しては、必要に応じて適宜に省略することが可能である。
【０１８２】
（３４）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【符号の説明】
【０１８３】
１０…液晶表示装置（表示装置）、１１…液晶パネル（表示パネル）、１２，３１２…バックライト装置（照明装置）、１７，１２１７…ＬＥＤ（光源）、１９，１１９，２１９，３１９，４１９，５１９，６１９，７１９，１０１９，１１１９，１２１９…導光板、１９ａ，１１９ａ，２１９ａ，３１９ａ，４１９ａ，５１９ａ，６１９ａ，７１９ａ，１０１９ａ，１１１９ａ，１２１９ａ…光出射面、１９ｂ，１１９ｂ，６１９ｂ，７１９ｂ，１１１９ｂ，１２１９ｂ…光入射面、１９ｃ，１１９ｃ，３１９ｃ，４１９ｃ…反対板面、４０，１４０，３４０…反射シート（反射部材）、４０ａ，１４０ａ，３４０ａ…反射面、４１，１４１，３４１，４４１…出光反射部、４１ａ…単位反射部、４２，１４２，３４２…プリズムシート（出光側異方性集光部）、４２ａ…出光側単位プリズム（出光側単位集光部）、４３，１４３，３４３，４４３…プリズム部、４３ａ…単位プリズム、４４，１４４，５４４，６４４，７４４，８４４，９４４，１０４４，１１４４，１２４４…凹型レンチキュラーレンズ部（レンチキュラーレンズ部）、４４ａ，１４４ａ，５４４ａ，６４４ａ，７４４ａ，８４４ａ，９４４ａ，１０４４ａ，１１４４ａ，１２４４ａ…凹型シリンドリカルレンズ（シリンドリカルレンズ）、４５，１４５，２４５，３４５，４４５，５４５，６４５，７４５，８４５，９４５，１０４５，１１４５，１２４５…平坦状部、４６，３４６，４４６…凸型レンチキュラーレンズ部（レンチキュラーレンズ部）、４６ａ，３４６ａ，４４６ａ…凸型シリンドリカルレンズ（シリンドリカルレンズ）、３４６ａＡ…第１凸型シリンドリカルレンズ（第１シリンドリカルレンズ）、３４６ａＢ…第２凸型シリンドリカルレンズ（第２シリンドリカルレンズ）、θｖ２…頂角、Ｃ１…隙間、Ｃ２…隙間
【図１】
2016017492.tif 000003
【図２】
2016017492.tif 000004
【図３】
2016017492.tif 000005
【図４】
2016017492.tif 000006
【図５】
2016017492.tif 000007
【図６】
2016017492.tif 000008
【図７】
2016017492.tif 000009
【図８】
2016017492.tif 000010
【図９】
2016017492.tif 000011
【図１０】
2016017492.tif 000012
【図１１】
2016017492.tif 000013
【図１２】
2016017492.tif 000014
【図１３】
2016017492.tif 000015
【図１４】
2016017492.tif 000016
【図１５】
2016017492.tif 000017
【図１６】
2016017492.tif 000018
【図１７】
2016017492.tif 000019
【図１８】
2016017492.tif 000020
【図１９】
2016017492.tif 000021
【図２０】
2016017492.tif 000022
【図２１】
2016017492.tif 000023
【図２２】
2016017492.tif 000024
【図２３】
2016017492.tif 000025
【図２４】
2016017492.tif 000026
【図２５】
2016017492.tif 000027
【図２６】
2016017492.tif 000028
【図２７】
2016017492.tif 000029
【図２８】
2016017492.tif 000030
【図２９】
2016017492.tif 000031
【図３０】
2016017492.tif 000032
【図３１】
2016017492.tif 000033
【図３２】
2016017492.tif 000034
【図３３】
2016017492.tif 000035
【図３４】
2016017492.tif 000036
【図３５】
2016017492.tif 000037
【図３６】
2016017492.tif 000038
【図３７】
2016017492.tif 000039
【図３８】
2016017492.tif 000040
【図３９】
2016017492.tif 000041
【図４０】
2016017492.tif 000042
【図４１】
2016017492.tif 000043
【図４２】
2016017492.tif 000044
【図４３】
2016017492.tif 000045
【図４４】
2016017492.tif 000046
【図４５】
2016017492.tif 000047
【図４６】
2016017492.tif 000048
【手続補正書】
【提出日】平成29年1月24日(2017.1.24)
【手続補正１】
【補正対象書類名】特許請求の範囲
【補正対象項目名】全文
【補正方法】変更
【補正の内容】
【特許請求の範囲】
【請求項１】
光源と、
方形の板状をなし、その外周端面のうち対辺をなす一対の端面の少なくともいずれか一方が前記光源から発せられた光が入射される光入射面とされるとともに、一方の板面が光を出射させる光出射面とされ、さらには他方の板面が反対板面とされる導光板と、
前記導光板に対して出光側に配され、前記導光板の前記外周端面のうち対辺をなすとともに前記光入射面を含まない一対の端面に沿う第１方向に沿って延在する出光側単位集光部を、前記導光板の前記外周端面のうち前記光入射面を含む前記一対の端面に沿う第２方向に沿って複数並ぶ形で配してなる出光側異方性集光部と、
前記導光板の前記光出射面と前記反対板面とのうちの一方側に配されるとともに前記導光板内を伝播する光を反射して前記光出射面からの出光を促すための出光反射部であって、前記第２方向に沿って延在する単位反射部を、前記第１方向に沿って間隔を空けて複数並ぶ形で配してなる出光反射部と、
前記導光板の前記光出射面と前記反対板面とのうちの一方側に配されるプリズム部であって、前記第１方向に沿って延在する単位プリズムを、前記第２方向に沿って複数並ぶ形で配してなるプリズム部と、
前記導光板の前記光出射面と前記反対板面とのうちの他方側に配されるレンチキュラーレンズ部であって、前記第１方向に沿って延在するシリンドリカルレンズを前記第２方向に沿って複数並ぶ形で配してなるとともに、前記第１方向について前記光入射面に近い側では前記シリンドリカルレンズにおける前記第２方向についての占有比率が相対的に高いものの前記光入射面から遠い側では前記シリンドリカルレンズにおける前記第２方向についての占有比率が相対的に低くなるよう構成されたレンチキュラーレンズ部と、
前記導光板の前記光出射面と前記反対板面とのうちの他方側に配されるとともに、前記第１方向及び前記第２方向に沿って平坦な平坦状部であって、前記第２方向について前記シリンドリカルレンズに対して隣り合う形で配されるとともに、前記第１方向について前記光入射面に近い側では前記第２方向についての占有比率が相対的に低いものの前記光入射面から遠い側では前記第２方向についての占有比率が相対的に高くなる平坦状部と、を備え、
前記導光板の前記反対板面と対向する形で配されるとともに光を反射する反射面を有する反射部材を備えており、
前記出光反射部及び前記プリズム部は、前記導光板の前記光出射面側に配されているのに対し、前記レンチキュラーレンズ部は、前記導光板の前記反対板面側に配されている照明装置。
【請求項２】
前記プリズム部は、前記単位プリズムの頂角が１３５°〜１５５°の範囲とされる請求項１記載の照明装置。
【請求項３】
前記プリズム部は、前記単位プリズムの頂角が１５０°とされる請求項１または請求項２記載の照明装置。
【請求項４】
前記プリズム部は、前記単位プリズムの頂角が１１０°とされる請求項１記載の照明装置。
【請求項５】
前記レンチキュラーレンズ部は、前記シリンドリカルレンズが凹型をなすよう設けられている請求項１から請求項４のいずれか１項に記載の照明装置。
【請求項６】
前記レンチキュラーレンズ部は、前記シリンドリカルレンズが凸型をなすよう設けられている請求項１から請求項４のいずれか１項に記載の照明装置。
【請求項７】
前記出光反射部及び前記プリズム部は、前記導光板の前記反対板面側に配されているのに対し、前記レンチキュラーレンズ部は、前記導光板の前記光出射面側に配されており、
前記レンチキュラーレンズ部を構成する前記シリンドリカルレンズには、相対的に低い第１シリンドリカルレンズと、相対的に高い第２シリンドリカルレンズとが含まれており、
前記第１シリンドリカルレンズと、前記出光側異方性集光部との間には、隙間が空けられている請求項６記載の照明装置。
【請求項８】
前記レンチキュラーレンズ部及び前記平坦状部は、前記第１方向について前記光入射面から遠ざかるのに従い、前記シリンドリカルレンズにおける前記第２方向についての占有比率が連続的に漸次減少するのに対し、前記平坦状部における前記第２方向についての占有比率が連続的に漸次増加するよう設けられている請求項１から請求項７のいずれか１項に記載の照明装置。
【請求項９】
請求項１から請求項８のいずれか１項に記載の照明装置と、前記照明装置からの光を利用して表示を行う表示パネルとを備える表示装置。
【国際調査報告】
2016017492.tif 000049
2016017492.tif 000050
2016017492.tif 000051
2016017492.tif 000052